(57)【要約】【課題】画像形成装置と空気清浄装置とで構成され、消費電力の抑制を図りながら設置されている周囲環境を効果的にクリーンな状態に保つことが可能な画像形成システムを提供する。【解決手段】画像形成動作部２１１と、空気清浄動作部２２１と、電源２０１と、制御部２１３とを備えた画像形成システム２００を、制御部２１３が、電源２０１から画像形成動作部２１１への電力供給をオンする第１電力供給オン制御と、電源２０１から空気清浄動作部２２１への電力供給をオンする第２電力供給オン制御とを連動させる連動オン制御機能を有し、該連動オン制御機能は、第１電力供給オン制御を実行する時点よりも予め設定された設定時間前に、第２電力供給オン制御を実行するようにして構成する。【選択図】図１
2011033788.tif 000002
【特許請求の範囲】
【請求項１】
画像形成動作を実行する画像形成動作部と、空気清浄動作を実行する空気清浄動作部と、前記画像形成動作部および前記空気清浄動作部へ電力を供給する電源と、制御部とを備えた画像形成システムであって、
前記制御部は、
前記電源から前記画像形成動作部への電力供給をオンする第１電力供給オン制御と、前記電源から前記空気清浄動作部への電力供給をオンする第２電力供給オン制御とを連動させる連動オン制御機能を有し、
該連動オン制御機能は、前記第１電力供給オン制御を実行する時点よりも予め設定された設定時間前に、前記第２電力供給オン制御を実行する構成とされていること
を特徴とする画像形成システム。
【請求項２】
請求項１に記載の画像形成システムであって、
前記電源は、前記画像形成動作部へ電力を供給する第１電源と、前記空気清浄動作部へ電力を供給する第２電源とを備え、
前記第１電力供給オン制御は、前記第１電源に対して実行され、前記第２電力供給オン制御は、前記第２電源に対して実行される構成とされていること
を特徴とする画像形成システム。
【請求項３】
請求項１または請求項２に記載の画像形成システムであって、
前記制御部は、前記連動オン制御機能の種類を複数備えていること
を特徴とする画像形成システム。
【請求項４】
請求項１から請求項３までのいずれか１項に記載の画像形成システムであって、
前記制御部は、
外部からの操作を受付る操作部を備え、
前記操作部で受付られた前記操作に基づいて前記設定時間を設定する構成とされていること
を特徴とする画像形成システム。
【請求項５】
請求項４に記載の画像形成システムであって、
前記制御部は、前記操作部で受付られた前記操作に基づいて複数種類の前記連動オン制御機能のいずれか一つを選定する構成とされていること
を特徴とする画像形成システム。
【請求項６】
請求項５に記載の画像形成システムであって、
前記制御部は、
さらに、前記第１電力供給オン制御と前記第２電力供給オン制御とを独立して個別に実行する個別オン制御機能を備え、
前記操作部で受付られた前記操作に基づいて、複数種類の前記連動オン制御機能のいずれか一つと前記個別オン制御機能のどちらか一つを選定するオン制御機能選定を実行する構成とされていること
を特徴とする画像形成システム。
【請求項７】
請求項５または請求項６に記載の画像形成システムであって、
前記制御部は、
外部からのリモート操作を、通信機能を介して受付るリモート操作受付部を備えており、
前記リモート操作受付部で受付られた前記リモート操作に基づいて、前記オン制御機能選定を実行する構成とされていること
を特徴とする画像形成システム。
【請求項８】
請求項２から請求項７までのいずれか１項に記載の画像形成システムであって、
前記第１電源、前記画像形成動作部、および、前記制御部は、画像形成装置を構成し、
前記第２電源、および、前記空気清浄動作部は、空気清浄装置を構成すること
を特徴とする画像形成システム。
【請求項９】
請求項８に記載の画像形成システムであって、
前記空気清浄装置は、前記画像形成装置の外部に備えられていること
を特徴とする画像形成システム。
【請求項１０】
請求項９に記載の画像形成システムであって、
前記空気清浄装置は、前記画像形成装置の上方に備えられていること
を特徴とする画像形成システム。
【請求項１１】
請求項９または請求項１０に記載の画像形成システムであって、
前記空気清浄動作部は、イオン発生機能を備えていること
を特徴とする画像形成システム。
【請求項１２】
請求項１１に記載の画像形成システムであって、
前記画像形成装置は、通常モードと、該通常モードにおけるよりも消費電力が少ない省電力モードとを備えており、
前記空気清浄動作部は、前記通常モードと前記省電力モードとでは、イオン放出方向が異なること
を特徴とする画像形成システム。
【請求項１３】
請求項８に記載の画像形成システムであって、
前記空気清浄装置は、前記画像形成装置の内部に備えられていること
を特徴とする画像形成システム。
【発明の詳細な説明】
【技術分野】
【０００１】
本発明は、例えば、複写機、プリンタ、ファクシミリ装置等の画像形成処理を行う画像形成装置と、空気清浄機とで構成される画像形成システムに関する。
【背景技術】
【０００２】
近年、複写機やプリンタ、ファクシミリ装置等、画像形成を可能とした電子写真方式の画像形成装置が開発されている。これらの画像形成装置は、例えば、静電潜像を感光体ドラム表面に形成し、トナーにより現像して感光体ドラム表面にトナー像を形成し、このトナー像を感光体ドラムから記録用紙に転写し、この記録用紙を加熱及び加圧して、トナー像を記録用紙上に定着させる、いわゆる、記録用紙に対する画像形成処理を行う装置である。
【０００３】
このような画像形成装置は、一般に、オフィス等の室内に設置されるが、この画像形成装置においては、記録用紙に対する画像形成処理中に、目に見えない細かい粒子や臭い等が生じることがあり、これらが画像形成装置から室内に放出されることがある。
【０００４】
また、画像形成装置が設置されるようなオフィス等の室内では、一般に、さまざまな原因により、ハウスダスト等の目に見えない細かい粒子や臭い等が生じている。
【０００５】
そこで、これらの室内におけるハウスダスト等の細かい粒子や臭い等を取除く装置として、空気清浄装置が提案されている（例えば、特許文献１参照）。特許文献１に記載の空気清浄装置は、正イオン及び負イオンを同時に発生して、正イオン及び負イオンにより空気中の浮遊細菌を効果的に除去する空気清浄装置である。
【０００６】
このような空気清浄装置を、画像形成装置が設置されている室内に備えることによって、画像形成装置から室内に放出される目に見えない細かい粒子や臭い等を、取除くことができる。
【先行技術文献】
【特許文献】
【０００７】
【特許文献１】特開２００２−５８７３１号公報
【発明の概要】
【発明が解決しようとする課題】
【０００８】
ところで、画像形成装置が設置されている室内では、画像形成装置への電力供給がオンされて画像形成装置が動作状態であるときには、一般的にこの画像形成装置を使用する人が室内に存在している。
【０００９】
そのため、このように、画像形成装置が動作状態であるときは、画像形成装置から室内に放出される目に見えない細かい粒子や臭い等を取除くために、室内の空気を清浄するのが好適である。そこで、この画像形成装置が設置されている室内の空気清浄装置への電力供給をオンして空気清浄を行うのが合理的である。
【００１０】
これに対して、画像形成装置への電力供給がオフされて画像形成装置が停止状態であるときは、退社等で画像形成装置が設置されている室内から人がいなくなるときである。このように、画像形成装置が停止状態であるときは、画像形成装置から室内に放出される目に見えない細かい粒子や臭い等は少なくなり、また、室内から人がいなくなることから、空気清浄装置への電力供給をオフするようにしてもよい。
【００１１】
このように、画像形成装置と空気清浄装置とが連携するようにして動作させることで、画像形成装置が設置された部屋等の画像形成装置の周囲環境を、消費電力の抑制を図りながら効果的にクリーンな状態に保つことができる。
【００１２】
しかし、画像形成装置と空気清浄機とは、全く別の装置であり、画像形成装置に供給される電力のオン／オフ制御と空気清浄機に供給される電力のオン／オフ制御とは、相互に独立しており、それぞれ個別に行われている。そのため、画像形成装置と空気清浄装置とを自動的に連携させるシステムが望まれていた。
【００１３】
そこで、この発明は、上記のような要望に対処するためになされたものであって、画像形成装置と空気清浄装置とを自動的に連携させることにより、画像形成装置が設置された部屋等の画像形成装置の周囲環境を、消費電力の抑制を図りながら効果的にクリーンな状態に保つことが可能な画像形成システムを提供しようとするものである。
【課題を解決するための手段】
【００１４】
本発明の画像形成システムは、画像形成動作を実行する画像形成動作部と、空気清浄動作を実行する空気清浄動作部と、前記画像形成動作部および前記空気清浄動作部へ電力を供給する電源と、制御部とを備えた画像形成システムであって、前記制御部は、前記電源から前記画像形成動作部への電力供給をオンする第１電力供給オン制御と、前記電源から前記空気清浄動作部への電力供給をオンする第２電力供給オン制御とを連動させる連動オン制御機能を有し、該連動オン制御機能は、前記第１電力供給オン制御を実行する時点よりも予め設定された設定時間前に、前記第２電力供給オン制御を実行する構成とされていることを特徴とする。
【００１５】
本発明の画像形成システムでは、前記電源は、前記画像形成動作部へ電力を供給する第１電源と、前記空気清浄動作部へ電力を供給する第２電源とを備え、前記第１電力供給オン制御は、前記第１電源に対して実行され、前記第２電力供給オン制御は、前記第２電源に対して実行される構成とされていることを特徴とする。
【００１６】
また、本発明の画像形成システムでは、前記制御部は、前記連動オン制御機能の種類を複数備えていることを特徴とする。
【００１７】
また、本発明の画像形成システムでは、前記制御部は、外部からの操作を受付る操作部を備え、前記操作部で受付られた前記操作に基づいて前記設定時間を設定する構成とされていることを特徴とする。
【００１８】
また、本発明の画像形成システムでは、前記制御部は、前記操作部で受付られた前記操作に基づいて複数種類の前記連動オン制御機能のいずれか一つを選定する構成とされていることを特徴とする。
【００１９】
また、本発明の画像形成システムでは、前記制御部は、さらに、前記第１電力供給オン制御と前記第２電力供給オン制御とを独立して個別に実行する個別オン制御機能を備え、前記操作部で受付られた前記操作に基づいて、複数種類の前記連動オン制御機能のいずれか一つと前記個別オン制御機能のどちらか一つを選定するオン制御機能選定を実行する構成とされていることを特徴とする。
【００２０】
また、本発明の画像形成システムでは、外部からのリモート操作を、通信機能を介して受付るリモート操作受付部を備えており、前記リモート操作受付部で受付られた前記リモート操作に基づいて、前記オン制御機能選定を実行する構成とされていることを特徴とする。
【００２１】
また、本発明の画像形成システムでは、前記第１電源、前記画像形成動作部、および、前記制御部は、画像形成装置を構成し、前記第２電源、および、前記空気清浄動作部は、空気清浄装置を構成することを特徴とする。
【００２２】
また、本発明の画像形成システムでは、前記空気清浄装置は、前記画像形成装置の外部に備えられていることを特徴とする。
【００２３】
また、本発明の画像形成システムでは、前記空気清浄装置は、前記画像形成装置の上方に備えられていることを特徴とする。
【００２４】
また、本発明の画像形成システムでは、前記空気清浄動作部は、イオン発生機能を備えていることを特徴とする。
【００２５】
また、本発明の画像形成システムでは、前記画像形成装置は、通常モードと、該通常モードにおけるよりも消費電力が少ない省電力モードとを備えており、前記空気清浄動作部は、前記通常モードと前記省電力モードとでは、イオン放出方向が異なることを特徴とする。
【００２６】
また、本発明の画像形成システムでは、前記空気清浄装置は、前記画像形成装置の内部に備えられていることを特徴とする。
【発明の効果】
【００２７】
本発明によれば、画像形成システムの制御部により、第１電力供給オン制御（画像形成動作部への電力供給オン制御）が実行される時点よりも予め設定された設定時間前に、第２電力供給オン制御（空気清浄動作部への電力供給オン制御）が実行される。
【００２８】
そのため、画像形成システムが設置された部屋等における空気を、画像形成システムの画像形成動作部が動作する前から、あらかじめ、清浄することができる。従って、この画像形成システムが設置された部屋等、画像形成システムの周囲環境を、消費電力の抑制を図りながら効果的にクリーンな状態に保つことができる。
【図面の簡単な説明】
【００２９】
【図１】実施の形態１における画像形成システムの構成を示したブロック図である。
【図２】実施の形態２における画像形成システムの外観を示した斜視図である。
【図３】実施の形態２における画像形成システムの内部構成を示した構成図である。
【図４】実施の形態２における画像形成システムの構成を示したブロック図である。
【図５】実施の形態２における画像形成システムの空気清浄動作部の構造を示した断面図である。
【図６】実施の形態２における画像形成システムの空気清浄動作部に内蔵されているイオン発生素子を示した平面図である。
【図７】実施の形態２における画像形成システムの画像形成装置の筐体に空気清浄動作部を含む空気清浄装置を取付けた状態を示した斜視図（その１）である。
【図８】実施の形態２における画像形成システムの画像形成装置の筐体に空気清浄動作部を含む空気清浄装置を取付けた状態を示した斜視図（その２）である。
【図９】実施の形態２における画像形成システムの空気清浄動作部が省電力状態の動作状態を示した断面図である。
【図１０】実施の形態２における画像形成システムの空気清浄動作部が通常電力状態の動作状態を示した断面図である。
【図１１】実施の形態２における画像形成システムの画像形成装置に備えられた画像形成表示操作部の平面図である。
【図１２】図１１のＸ部分の拡大図である。
【図１３】実施の形態２における画像形成システムの空気清浄装置に備えられた空気清浄表示操作部の平面図である。
【図１４】実施の形態２における画像形成システムの画像形成制御部に備えられたフラグの一覧テーブルである。
【図１５】実施の形態２における画像形成システムの画像形成制御部に備えられたデータの一覧テーブル（その１）である。
【図１６】実施の形態２における画像形成システムの画像形成制御部に備えられたデータの一覧テーブル（その２）である。
【図１７】実施の形態２における画像形成システムの画像形成表示操作部の設定用表示画面図（その１）である。
【図１８】実施の形態２における画像形成システムの画像形成表示操作部の設定用表示画面図（その２）である。
【図１９】実施の形態２における画像形成システムの画像形成表示操作部の設定用表示画面図（その３）である。
【図２０】実施の形態２における画像形成システムの画像形成表示操作部の設定用表示画面図（その４）である。
【図２１】実施の形態２における画像形成システムの画像形成表示操作部の設定用表示画面図（その５）である。
【図２２】実施の形態２における画像形成システムの画像形成表示操作部の設定用表示画面図（その６）である。
【図２３】実施の形態２における画像形成システムの画像形成表示操作部の設定用表示画面図（その７）である。
【図２４】実施の形態２における画像形成システムの電源制御動作を示したフローチャート（その１）である。
【図２５】実施の形態２における画像形成システムの電源制御動作を示したフローチャート（その２）である。
【図２６】実施の形態２における画像形成システムの画像形成表示操作部の他の例における設定用表示画面図（その１）である。
【図２７】実施の形態２における画像形成システムの画像形成表示操作部の他の例における設定用表示画面図（その２）である。
【図２８】実施の形態２における画像形成システムにおいて空気清浄装置を画像形成装置の筐体の内部に備えた場合の外観を示した斜視図である。
【発明を実施するための形態】
【００３０】
次に、本発明の実施の形態における画像形成システムについて、図面に基づき詳細に説明する。
【００３１】
＜実施の形態１＞
まず、実施の形態１について説明する。図１は、本発明の実施の形態１における画像形成システムの構成を示したブロック図である。図１において、実施の形態１における画像形成システム２００は、画像形成動作を実行する画像形成動作部２１１と、空気清浄動作を実行する空気清浄動作部２２１と、画像形成動作部２１１および空気清浄動作部２２１へ電力を供給する電源２０１と、制御部２１３とを備えた画像形成システムである。
【００３２】
上記の画像形成システム２００では、制御部２１３は、電源２０１から画像形成動作部２１１への電力供給をオンする第１電力供給オン制御と、電源２０１から空気清浄動作部２２１への電力供給をオンする第２電力供給オン制御とを連動させる連動オン制御機能を有している。
【００３３】
そして、上記の画像形成システム２００では、上記の連動オン制御機能は、第１電力供給オン制御（画像形成動作部２１１への電力供給オン制御）を実行する時点よりも予め設定された設定時間前に、第２電力供給オン制御（空気清浄動作部２２１への電力供給オン制御）を実行する構成であることを特徴としている。
【００３４】
上記の画像形成システム２００によれば、この画像形成システム２００の制御部２１３により、第１電力供給オン制御（画像形成動作部２１１への電力供給オン制御）が実行される時点よりも予め設定された設定時間前に、第２電力供給オン制御（空気清浄動作部２２１への電力供給オン制御）が実行される。
【００３５】
そのため、画像形成システム２００が設置された部屋等における空気を、画像形成システム２００の画像形成動作部２１１が動作する前から、あらかじめ、清浄することができる。従って、この画像形成システム２００が設置された部屋等、画像形成システム２００の周囲環境を、消費電力の抑制を図りながら効果的にクリーンな状態に保つことができる。
【００３６】
上記の画像形成システム２００を、次のような構成としてもよい。即ち、画像形成システム２００の電源２０１は、画像形成動作部２１１へ電力を供給する第１電源２１２と、空気清浄動作部２２１へ電力を供給する第２電源２２２とを備える。
【００３７】
そして、第１電力供給オン制御および第１電力供給オフ制御は、第１電源２１２に対して実行され、第２電力供給オン制御および第２電力供給オフ制御は、第２電源２２２に対して実行される構成とするのである。
【００３８】
このようにすることで、後述するように、画像形成システム２００を画像形成装置２１０と空気清浄装置２２０とで構成する場合に、画像形成システム２００を合理的に構成することができる。
【００３９】
また、上記の画像形成システム２００の制御部２１３に、上記の連動オン制御機能の種類を複数備えるようにしてもよい。
【００４０】
上記の連動オン制御機能の種類としては、例えば、上述したように、第１電力供給オン制御（画像形成動作部２１１への電力供給オン制御）の実行の一定時間前に、第２電力供給オン制御（空気清浄動作部２２１への電力供給オン制御）を実行するほか、第１電力供給オン制御（画像形成動作部２１１への電力供給オン制御）と第２電力供給オン制御（空気清浄動作部２２１への電力供給オン制御）とを同時に実行する等がある。
【００４１】
上記のようにすることにより、画像形成システム２００が設置されている部屋等の状況に合わせて、最適な画像形成動作部２１１と空気清浄動作部２２１との連携を実現することができ、画像形成システム２００が設置されている部屋を、消費電力の抑制を図りながら効果的にクリーンな状態に保つことができる。
【００４２】
また、上記の画像形成システム２００の制御部２１３に、外部からの操作を受付る操作部２１４を備えるようにしてもよい。この操作部２１４としては、一般的には、テンキー等のキーや、ＬＣＤ（液晶表示器）に重ねて設けられたタッチパネル等が用いられる。
【００４３】
この場合に、上記の操作部２１４で受付られた操作に基づいて、画像形成システム２００の制御部２１３は、上記の設定時間を設定するようにする。このようにすることにより、画像形成システム２００が設置されている部屋等の状況に合わせて、最適な設定時間を設定することができる。
【００４４】
また、上記の画像形成システム２００において、上記の操作部２１４で受付られた操作に基づいて、画像形成システム２００の制御部２１３が、上記の複数種類の連動オン制御機能のいずれか一つを選定するようにしてもよい。
【００４５】
この場合、上記の「操作部２１４で受付られた操作に基づいて」とは、具体的には、例えば、「操作により操作部２１４に入力された情報に基づいて」の意味である。このようにすることにより、複数種類の連動オン制御機能のいずれか一つを選定することを、容易に行うことができる。
【００４６】
上記の場合、さらに、次のようにしてもよい。即ち、画像形成システム２００の制御部２１３に、上述した連動オン制御機能の複数の種類のほか、さらに、個別オン制御機能を備える。この個別オン制御機能は、第１電力供給オン制御と第２電力供給オン制御とを連動させずに独立して個別に実行する機能である。
【００４７】
そして、画像形成システム２００の制御部２１３により、上記の操作部２１４で受付られた操作に基づいて、オン制御機能選定が実行されるようにするのである。このオン制御機能選定とは、上記の複数種類の連動オン制御機能のいずれか一つまたは上記の個別オン制御機能のどちらかを選定する機能である。
【００４８】
上記のようにすることにより、連動オン制御機能の複数の種類のほか、さらに、個別オン制御機能を加えた中から、画像形成システム２００が設置されている部屋等の状況に合わせて最適な画像形成動作部２１１と空気清浄動作部２２１との連携機能を選択して実現することができ、画像形成システム２００が設置されている部屋を、消費電力の抑制を図りながら効果的にクリーンな状態に保つことができる。
【００４９】
また、上記の画像形成システム２００において、次のような構成とするようにしてもよい。即ち、画像形成システム２００の制御部２１３に、外部からのリモート操作を、通信機能を介して受付るリモート操作受付部２１５を備える。
【００５０】
このリモート操作受付部２１５は、次のようにして実現できる。例えば、通信機能としてＬＡＮを用い、このＬＡＮに接続されたパソコンから入力され、送信された情報を受信して、この受信した情報をリモート操作の内容として保持する機能を、画像形成システム２００の制御部２１３に設けるようにするのである。
【００５１】
そして、リモート操作受付部２１５で受付られたリモート操作に基づいて、例えば、上記の例では、ＬＡＮに接続されたパソコンから入力された情報に基づいて、上記のオン制御機能選定を実行するようにするのである。
【００５２】
上記のようにすることにより、連動オン制御機能の複数の種類のほか、さらに、個別オン制御機能を加えた中から、画像形成システム２００が設置されている部屋等の状況に合わせて、リモート操作で、最適な画像形成動作部２１１と空気清浄動作部２２１との連携機能を選択して実現することができる。
【００５３】
上記の画像形成システム２００において、具体的には、この画像形成システム２００を、画像形成装置２１０と空気清浄装置２２０とで構成することができる。この内、画像形成装置２１０は、上述した画像形成動作部２１１、第１電源２１２、および、制御部２１３で構成する。そして、空気清浄装置２２０は、上述した空気清浄動作部２２１、および、第２電源２２２で構成する。
【００５４】
一般に、画像形成装置２１０は、上述した画像形成動作部２１１、第１電源２１２、および、制御部２１３で構成され、また、空気清浄装置２２０は、上述した空気清浄動作部２２１、および、第２電源２２２で構成される。従って、上記のようにすることで、画像形成システム２００を合理的に構成することができる。
【００５５】
上述した画像形成装置２１０と空気清浄装置２２０とで構成される画像形成システム２００において、空気清浄装置２２０を、画像形成装置２１０の外部に備えるようにしてもよい。具体的には、例えば、空気清浄装置２２０を、画像形成装置２１０の上方に備えるようにするのである。
【００５６】
上記のように、空気清浄装置２２０を、画像形成装置２１０の外部に備えることにより、画像形成装置２１０の内部に空気清浄手段を設ける必要がなく、画像形成装置２１０が大型化するのを抑制することができる。
【００５７】
また、上記のようにして、空気清浄装置２２０を画像形成装置２１０の外部に、具体的には、例えば、空気清浄装置２２０を画像形成装置２１０の上方に備えて画像形成システム２００を構成することにより、画像形成システム２００が設置される部屋等に、独立した空気清浄装置を別に設ける必要が無いようにすることができる。従って、画像形成システム２００が設置される部屋等における有効活用できる空間が減少するのを、抑制することができる。
【００５８】
上述した画像形成装置２１０と空気清浄装置２２０とで構成される画像形成システム２００に使用される空気清浄動作部２２１には、イオン発生機能を用いるのが好適である。
【００５９】
このイオン発生機能は、一般に、正イオン及び負イオンを同時に発生する機能であり、これにより発生された正イオン及び負イオンにより、空気中の浮遊細菌を効果的に除去することができ、空気清浄を行うのに好適であるからである。
【００６０】
空気清浄動作部２２１にイオン発生機能を用いる上記の画像形成システム２００を、次のように構成するようにしてもよい。即ち、画像形成装置２１０に、通常モードと、該通常モードにおけるよりも消費電力が少ない省電力モードとを備える。
【００６１】
そして、これらの通常モードと省電力モードとでは、イオン発生機能を備えた空気清浄動作部２２１におけるイオン放出方向が、異なるようにするのである。
【００６２】
例えば、通常モードのときは、イオンの放出方向を画像形成装置２１０の本体に向け、省電力モードのときは、画像形成装置２１０の本体に向ける以外の方向、例えば、部屋の上方に向けるようにするのである。
【００６３】
画像形成装置２１０が通常モードのときは、画像形成装置２１０が動作しており、画像形成動作部２１１から目に見えない細かい粒子や臭い等が放出され得る。そのため、画像形成装置２１０が通常モードのときは、イオンの放出方向を画像形成装置２１０の本体に向けることにより、主に、画像形成装置２１０から室内に放出される目に見えない細かい粒子や臭い等を取除くことができる。
【００６４】
また、画像形成装置２１０が省電力モードのときは、画像形成装置２１０が動作しておらず、画像形成装置２１０から室内に放出される目に見えない細かい粒子や臭い等は少ない状態である。そのため、画像形成装置２１０が省電力モードのときは、イオンの放出方向を部屋の上方に向けることにより、主に、室内に存在する目に見えない細かい粒子や臭い等を取除くことができる。
【００６５】
上述した画像形成装置２１０と空気清浄装置２２０とで構成される画像形成システム２００において、空気清浄装置２２０を、画像形成装置２１０の内部に備えるようにしてもよい。このようにすることにより、画像形成装置２１０の外部に、空気清浄装置２２０を設置するスペースを設ける必要が無いようにすることができる
また、画像形成システム２００が設置される部屋等に、独立した空気清浄装置を別に設ける必要が無いようにすることができる。従って、画像形成システム２００が設置される部屋等における有効活用できる空間が減少するのを、抑制することができる。
【００６６】
＜実施の形態２＞
次に、実施の形態２について説明する。図２は、実施の形態２における画像形成システムの外観を示した斜視図、図３は、この画像形成システムを構成する画像形成装置１００の内部構成を示した構成図、そして、図４は、画像形成システムの構成を示したブロック図である。
【００６７】
＜画像形成システムの外観形状の説明＞
まず、実施の形態２における画像形成システムの外観形状について説明する。図２において、実施の形態２における画像形成システムは、記録用紙に対する画像形成処理を行う画像形成装置１００と、イオンを発生して外部に放出する空気清浄装置７０とで構成されている。
【００６８】
画像形成装置１００は、外観形状としては、高さ方向に長い直方体をしている。この画像形成装置１００には、図２に示すように、各種の操作を行う画像形成装置１００の表示操作部１０５が設けられている。この画像形成表示操作部１０５が設けられている側を、画像形成装置１００の筐体の前面と称し、この前面と対面する反対側の面を、画像形成装置１００の筐体の後面と称する。この画像形成装置１００の操作を行う操作者は、画像形成装置１００の筐体の前面側から、画像形成装置１００の操作を行う。
【００６９】
空気清浄装置７０は、外観形状としては、本体７０ａと支柱７０ｂとで構成されている。この空気清浄装置７０は、画像形成装置１００の筐体の外部に、次のようにして備えられている。
【００７０】
即ち、空気清浄装置７０の本体７０ａは、画像形成装置１００の筐体の後面の上側の角部１００ａから上向きに突設された空気清浄装置７０の支柱７０ｂにより、画像形成装置１００の筐体に取付られている。つまり、空気清浄装置７０は、画像形成装置１００の筐体に、該画像形成装置１００の筐体から離間して取付られている。
【００７１】
空気清浄装置７０の本体７０ａは、図２に示すように、支柱７０ｂに対して垂直な、即ち、水平方向に細長い形状をしており、支柱７０ｂの先端部でこの空気清浄装置７０の本体７０ａの基端部が支持されている。
【００７２】
この空気清浄装置７０の本体７０ａは、この空気清浄装置７０の本体７０ａの長手方向を軸として、後述するように、首振り可能に空気清浄装置７０の支柱７０ｂに取付られている。また、この空気清浄装置７０の長手方向は、画像形成装置１００の筐体の前後方向に対して水平面上で垂直に交差する方向と同じである。
【００７３】
このようにして、空気清浄装置７０を支柱７０ｂにより画像形成装置１００の筐体に取付ることにより、空気清浄装置７０を、容易に、画像形成装置１００の筐体の外部に設けることができる。また、画像形成装置１００を操作するのに必要なスペースを、十分確保することができ、画像形成装置１００の操作性が損なわれないようにすることができる。
【００７４】
＜画像形成システムの構成の説明＞
次に、実施の形態２における画像形成システムの構成について説明する。図４において、実施の形態２における画像形成システムは、上述したように画像形成装置１００と、空気清浄装置７０とで構成されている。
【００７５】
画像形成装置１００は、図４において、画像形成装置１００の動作部（以下、画像形成動作部と称する）１０１、画像形成装置１００の動作部用電源（以下、画像形成動作部用電源と称する）１０２、画像形成装置１００の制御部（以下、画像形成制御部と称する）１０３、画像形成装置１００の制御部用電源（以下、画像形成制御部用電源と称する）１０４、画像形成装置１００の表示操作部（以下、画像形成表示操作部と称する）１０５、画像形成装置１００のＬＡＮ・Ｉ／Ｆ（以下、画像形成ＬＡＮ・Ｉ／Ｆと称する）１０６、および、画像形成装置１００のＲＳ２３２Ｃ・Ｉ／Ｆ（以下、画像形成ＲＳ２３２Ｃ・Ｉ／Ｆと称する）１０７で構成されている。
【００７６】
上記の画像形成動作部１０１は、画像形成装置１００における画像形成処理を行う。画像形成動作部用電源１０２は、画像形成動作部１０１への電源供給を行う。画像形成制御部１０３は、画像形成装置１００における各種の制御を行う。
【００７７】
この画像形成制御部１０３には、ＣＰＵや、フラッシュメモリ、ＲＡＭ等のメモリが備えられている。また、このメモリには、ＯＳや各種のソフトウエアが搭載されており、画像形成制御部１０３は、これらのＯＳやソフトウエアにより、画像形成動作部１０１に対する制御や、後述する電源制御等を行う。
【００７８】
また、画像形成制御部用電源１０４は、画像形成制御部１０３、画像形成表示操作部１０５、画像形成ＬＡＮ・Ｉ／Ｆ１０６、および、画像形成ＲＳ２３２Ｃ・Ｉ／Ｆ１０７への電源供給を行う。
【００７９】
また、画像形成表示操作部１０５は、画像形成装置１００の使用者による操作や画像形成装置１００に関する表示が行われる。画像形成ＬＡＮ・Ｉ／Ｆ１０６は、画像形成装置１００にパソコン等の外部装置を接続するためのインターフェイス（Ｉ／Ｆ）である。そして、画像形成ＲＳ２３２Ｃ・Ｉ／Ｆ１０７は、空気清浄装置７０との接続用インターフェイス（Ｉ／Ｆ）である。
【００８０】
上記の各部は、画像形成装置１００の筐体の内部に収容されている。また、上記の内、画像形成動作部１０１が前述した画像形成動作部、画像形成動作部用電源１０２が前述した第１電源、画像形成制御部１０３が前述した制御部、画像形成表示操作部１０５が前述した操作部、そして、画像形成ＬＡＮ・Ｉ／Ｆ１０６が前述したリモート操作受付部にそれぞれ相当する。
【００８１】
また、空気清浄装置７０は、図４において、空気清浄装置７０の動作部（以下、空気清浄動作部と称する）７１、空気清浄装置７０の動作部用電源（以下、空気清浄動作部用電源と称する）７２、空気清浄装置７０の制御部（以下、空気清浄制御部と称する）７３、空気清浄装置７０の制御部用電源（以下、空気清浄制御部用電源と称する）７４、空気清浄装置７０の表示操作部（以下、空気清浄表示操作部と称する）７５、および、空気清浄装置７０のＲＳ２３２Ｃ・Ｉ／Ｆ（以下、空気清浄ＲＳ２３２Ｃ・Ｉ／Ｆと称する）７７で構成されている。
【００８２】
上記の空気清浄動作部７１は、空気清浄装置７０における空気清浄処理を行う。空気清浄動作部用電源７２は、空気清浄動作部７１への電源供給を行う。空気清浄制御部７３は、空気清浄装置７０における各種の制御を行う。
【００８３】
この空気清浄制御部７３には、ＣＰＵ、フラッシュメモリ、ＲＡＭ等のメモリが備えられている。また、このメモリには、ＯＳや各種のソフトウエアが搭載されており、空気清浄制御部７３は、これらのＯＳやソフトウエアにより、空気清浄動作部７１に対する制御や、後述する電源制御等を行う。
【００８４】
また、空気清浄制御部用電源７４は、空気清浄制御部７３、空気清浄表示操作部７５、および、空気清浄ＲＳ２３２Ｃ・Ｉ／Ｆ７７への電源供給を行う。空気清浄表示操作部７５は、空気清浄装置７０の使用者による操作や空気清浄装置７０に関する表示が行われる。そして、空気清浄ＲＳ２３２Ｃ・Ｉ／Ｆ７７は、画像形成装置１００との接続用インターフェイス（Ｉ／Ｆ）である。
【００８５】
上記の内、空気清浄動作部が空気清浄装置７０の本体７０ａの内部に、それ以外が空気清浄装置７０の支柱７０ｂの内部に分散されて収容されている。また、上記の内、空気清浄動作部７１が、前述した空気清浄動作部、そして、空気清浄動作部用電源７２が、前述した第２電源に相当する。
【００８６】
実施の形態２における画像形成システムは、上述したように、記録用紙に対する画像形成処理を行う画像形成装置１００と、イオンを発生して外部に放出する空気清浄処理を行う空気清浄装置７０とで構成されている。そして、画像形成装置１００における画像形成処理は、主として画像形成動作部１０１で行われ、空気清浄装置７０における空気清浄処理は、主として空気清浄動作部７１で行われる。そこで、最初に、画像形成動作部１０１と、空気清浄動作部７１について説明する。
【００８７】
＜画像形成動作部の説明＞
まず、画像形成動作部１０１について説明する。画像形成装置１００における画像形成動作部１０１では、図３において、原稿読取部６０により読取られた原稿の画像又は外部から受信した画像が、画像形成処理部により、カラーもしくは単色で記録用紙に記録する処理が行われる。
【００８８】
原稿読取部６０は、原稿搬送部４２により搬送されている原稿画像を読取る。原稿搬送部４２では、原稿が原稿セットトレイ４１にセットされると、原稿ピックアップローラ４４が原稿表面に押し付けられて回転され、原稿が原稿セットトレイ４１から引き出され、原稿がサバキローラ４５と分離パッド４６間を通過して１枚ずつに分離されてから搬送経路４７へと搬送される。
【００８９】
この搬送経路４７では、原稿の先端が原稿レジストローラ４９に当接して、原稿の先端が原稿レジストローラ４９と平行に揃えられ、この後に原稿が原稿レジストローラ４９により搬送されて読取ガイド５１と読取ガラス５２間を通過する。更に、原稿は、搬送ローラ５７により搬送され、排紙ローラ５８を介して排紙トレイ５９に排出される。
【００９０】
原稿読取部６０では、原稿が読取ガイド５１と読取ガラス５２間を通過するに際し、第１走査部５３の光源の光が読取りガラス５２を介して原稿表面に照射され、その反射光が読取ガラス５２を介して第１走査部５３に入射し、この反射光が第１走査部５３、及び、第２走査部５４のミラーで反射されて結像レンズ５５へと導かれ、結像レンズ５５によって原稿の画像がＣＣＤ（Charge Coupled Device）５６上に結像される。ＣＣＤ５６は、原稿の画像を読取り、原稿の画像を示す画像データを出力する。
【００９１】
また、原稿台ガラス６１上に載置された原稿を読取ることができる。原稿搬送部４２は、原稿読取部６０の後面側で開閉可能に枢支されており、この原稿搬送部４２が開かれると、原稿台ガラス６１が解放されて、原稿台ガラス６１上に原稿を載置することができる。
【００９２】
原稿が載置されて、原稿搬送部４２が閉じられると、第１走査部５３、及び、第２走査部５４が副走査方向に移動されつつ、第１走査部５３によって原稿台ガラス６１上の原稿表面が露光され、第１走査部５３、及び、第２走査部５４によって原稿表面からの反射光が結像レンズ５５へと導かれ、結像レンズ５５によって原稿の画像がＣＣＤ５６上に結像される。
【００９３】
このとき、第１走査部５３、及び、第２走査部５４が相互に所定の速度関係を維持しつつ移動されて、原稿表面→第１走査部５３、及び、第２走査部５４→結像レンズ５５→ＣＣＤ５６という反射光の光路の長さが変化しないように第１走査部５３、及び、第２走査部５４の位置関係が常に維持され、これによりＣＣＤ５６上での原稿の画像のピントが常に正確に維持される。
【００９４】
こうして読取られた原稿の画像全体は、画像データとしてレーザ露光装置１へと送受され、画像が記録用紙に記録される。
【００９５】
一方、画像形成処理部は、レーザ露光装置１、現像装置２、感光体ドラム３、帯電器５、クリーナ装置４、中間転写ベルト装置８、定着装置１２、用紙搬送経路Ｓ、給紙トレイ１０、及び、用紙排出トレイ１５等により構成されている。
【００９６】
画像形成処理部において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。従って、現像装置２、感光体ドラム３、帯電器５、クリーナ装置４は各色に応じた４種類の潜像を形成するようにそれぞれ４個ずつ設けられ、それぞれがブラック、シアン、マゼンタ、及びイエローに対応付けられて、４つの画像ステーションＰａ、Ｐｂ、Ｐｃ、Ｐｄが構成されている。
【００９７】
感光体ドラム３は、画像形成は、ドラム状をしており、このドラムの表面に静電潜像が形成される。
【００９８】
帯電器５は、感光体ドラム３の表面を所定の電位に均一に帯電させるための帯電手段であり、接触型であるローラ型やブラシ型の帯電器のほか、チャージャー型の帯電器が用いられる。
【００９９】
レーザ露光装置１は、レーザダイオード及び反射ミラーを備えたレーザスキャニングユニット（ＬＳＵ）であり、帯電された感光体ドラム３の表面を画像データに応じて露光して、その表面に画像データに対応する静電潜像を形成する。
【０１００】
現像装置２は、感光体ドラム３上に形成された静電潜像を（Ｋ、Ｃ、Ｍ、Ｙ）のトナーにより現像する。クリーナ装置４は、現像及び画像転写後に感光体ドラム３表面に残留したトナーを除去及び回収する。
【０１０１】
感光体ドラム３の上方に配置されている中間転写ベルト装置８は、中間転写ベルト７、中間転写ベルト駆動ローラ２１、従動ローラ２２、中間転写ローラ６、及び中間転写ベルトクリーニング装置９を備えている。
【０１０２】
中間転写ベルト駆動ローラ２１、中間転写ローラ６、従動ローラ２２等は、中間転写ベルト７を張架して支持し、中間転写ベルト７を矢印Ｃ方向に周回移動させる。
【０１０３】
中間転写ローラ６は、中間転写ベルト７近傍に回転可能に支持され、中間転写ベルト７を介して感光体ドラム３に圧接され、感光体ドラム３のトナー像を中間転写ベルト７に転写するための転写バイアスを印加されている。
【０１０４】
中間転写ベルト７は、各感光体ドラム３に接触するように設けられており、各感光体ドラム３表面のトナー像を中間転写ベルト７に順次重ねて転写することによって、カラーのトナー像（各色のトナー像）を形成する。この転写ベルトは、厚さ１００μｍ〜１５０μｍ程度のフィルムを用いて無端ベルト状に形成されている。
【０１０５】
感光体ドラム３から中間転写ベルト７へのトナー像の転写は、中間転写ベルト７裏面に圧接されている中間転写ローラ６によって行われる。中間転写ローラ６には、トナー像を転写するために高電圧の転写バイアス（トナーの帯電極性（−）とは逆極性（＋）の高電圧）が印加されている。中間転写ローラ６は、直径８〜１０ｍｍの金属（例えばステンレス）軸をベースとし、その表面は、導電性の弾性材（例えばＥＰＤＭ、発泡ウレタン等）により覆われているローラである。この導電性の弾性材により、記録用紙に対して均一に高電圧を印加することができる。
【０１０６】
上述の様に各感光体ドラム３表面のトナー像は、中間転写ベルト７で積層され、画像データによって示されるカラーのトナー像となる。このように積層された各色のトナー像は、中間転写ベルト７と共に搬送され、中間転写ベルト７と接触する２次転写装置１１の転写ローラ１１ａによって記録用紙上に転写される。
【０１０７】
中間転写ベルト７と２次転写装置１１の転写ローラ１１ａとは相互に圧接されて、ニップ域を形成する。また、２次転写装置１１の転写ローラ１１ａには、中間転写ベルト７上の各色のトナー像を記録用紙に転写させるための電圧（トナーの帯電極性（−）とは逆極性（＋）の高電圧）が印加される。さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラ、または発泡性樹脂ローラ等）としている。
【０１０８】
また、２次転写装置１１によって中間転写ベルト７上のトナー像が記録用紙上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収する。中間転写ベルトクリーニング装置９には、例えばクリーニング部材として、中間転写ベルト７に接触して残留トナーを除去するクリーニングブレードが設けられており、クリーニングブレードが接触する部位で、従動ローラ２２により中間転写ベルト７裏側が支持されている。
【０１０９】
給紙トレイ１０は、記録用紙を格納しておくためのトレイであり、画像形成装置１００の画像形成部の下側に設けられて、トレイ内の記録用紙を供給する。
【０１１０】
また、給紙トレイ１０から供給された記録用紙を２次転写装置１１や定着装置１２を経由させて用紙排出トレイ１５に送るため、Ｓの字形状の用紙搬送経路Ｓが設けられている。この用紙搬送経路Ｓに沿って、用紙ピックアップローラ１６、用紙レジストローラ１４、定着装置１２、及び記録用紙を搬送する搬送ローラ等が配置されている。
【０１１１】
用紙ピックアップローラ１６は、給紙トレイ１０の端部に設けられ、給紙トレイ１０から記録用紙を１枚ずつ用紙搬送経路Ｓに供給する呼び込みローラである。搬送ローラは、記録用紙の搬送を促進補助するための小型のローラであり、複数個設けられている。
【０１１２】
用紙レジストローラ１４は、搬送されて来た記録用紙を一旦停止させて、記録用紙の先端を揃え、中間転写ベルト７と２次転写装置１１の転写ローラ１１ａ間のニップ域で中間転写ベルト７上のカラーのトナー像が記録用紙に転写されるように、感光体ドラム３及び中間転写ベルト７の回転にあわせて、記録用紙をタイミングよく搬送する。
【０１１３】
例えば、用紙レジストローラ１４は、図示しないレジスト前検知スイッチの検出出力に基づき、中間転写ベルト７と２次転写装置１１の転写ローラ１１ａ間のニップ域で中間転写ベルト７上のカラーのトナー像の先端が記録用紙の画像形成領域の先端に合うように、記録用紙を搬送する。
【０１１４】
定着装置１２は、加熱ローラ３１及び加圧ローラ３２等を備えている。加熱ローラ３１及び加圧ローラ３２は、中間転写ベルト７と２次転写装置１１の転写ローラ１１ａ間のニップ域を通過して来た記録用紙を挟み込んで搬送する。
【０１１５】
加熱ローラ３１は、図示しない温度検出器の検出出力に基づき、所定の定着温度となるように制御されており、加圧ローラ３２とともに記録用紙を熱圧着することにより、記録用紙に転写されたトナー像を溶融、混合、圧接し、記録用紙に対して熱定着させる機能を有している。
【０１１６】
各色のトナー像の定着後の記録用紙は、搬送ローラによって用紙排出トレイ１５上にフェイスダウンで排出される。
【０１１７】
尚、上記の画像形成動作部１０１は、画像形成動作部１０１の状態モードとして、２つの状態を備えている。即ち、省電力状態と通常状態である。画像形成動作部１０１の状態モードが通常状態であるときに、上述した動作が行われる。これに対して、省電力状態であるときは、上述した動作は行われない。上記の状態モードにおいて、省電力状態が、前述した省電力モードに相当する。
【０１１８】
また、上記の画像形成装置１００では、上述した画像形成動作部１０１の機能を用いて、「コピー」、「プリンタ」、および、「イメージ送信」を行うことができる。これらの機能は、画像形成装置１００に備えられた図１１に示す画像形成表示操作部１０５に備えられているコピー釦、プリンタ釦、または、イメージ送信釦を押すことで選択される。
【０１１９】
上記の画像形成表示操作部１０５には、図１１に示すように、タッチパネルを備えたＬＣＤ（液晶表示器）１０５ｇ、および、上記の各釦のほか、「コピー」としてカラーコピーを指示するカラー釦、白黒コピーを指示する白黒釦、コピー枚数等を設定するテンキー、画像形成装置１００に対する各種の設定を行うためのユーザー設定釦（押釦スイッチＳＷ３）１０５ｆ、テンキー１０５ｈ等が備えられている。
【０１２０】
また、上記の画像形成表示操作部１０５には、後述する電源制御用として、図１１のＸ部分の拡大図である図１２に示す、電源釦（押釦スイッチＳＷ１）１０５ａ、ＯＮ自動表示ランプ１０５ｂ、ＯＦＦ自動表示ランプ１０５ｃ、電源表示ランプ１０５ｄ、および、スイッチバリア１０５ｅが備えられている。
【０１２１】
＜空気清浄動作部の説明＞
次に、空気清浄装置７０の本体７０ａに収容されている空気清浄処理を行う空気清浄動作部７１について説明する。図５は、この空気清浄動作部７１の構造を示した断面図、図６は、空気清浄動作部７１に内蔵されているイオン発生素子８５を示した平面図、図７、図８は、画像形成装置１００の筐体に、空気清浄動作部７１を含む空気清浄装置７０を取付けた状態を示した斜視図、図９は、空気清浄動作部７１が省電力状態の動作状態を示した断面図、そして、図１０は、空気清浄動作部７１が通常状態の動作状態を示した断面図である。尚、図中の帯状の矢印、および、線状の矢印は、空気の流れる方向を示している。
【０１２２】
この空気清浄動作部７１は、図５に示すように、断面の形状が、後面方向に屈曲した略Ｌ字形をしている。尚、図５では、向かって左側が、前面側、向かって右側が、後面側である。
【０１２３】
上記の空気清浄動作部７１は、次のように構成されている。まず、空気清浄動作部７１の内部の下部には、ファン８２ａを装着したファンユニット８２が内蔵されている。また、空気清浄動作部７１の下部の後面には、複数の吸入孔８１ａが形成されていると共に、空気清浄動作部７１の上面には上面吹出し口８１ｂが形成されている。
【０１２４】
また、吸入孔８１ａとファンユニット８２との間には、吸入孔８１ａから吸入された空気をファンユニット８２へ導く吸入ダクト８３が形成されている。また、ファンユニット８２と、上面吹出し口８１ｂとの間には、ファンユニット８２から送出された空気を、上面吹出し口８１ｂへ導く吹出しダクト８４が形成されている。
【０１２５】
この吹出しダクト８４は、図５に示すように、固定ダクト前壁９１と固定ダクト後壁９２とを備えている。固定ダクト前壁９１は、ファンユニット８２の上面の前端から上面吹出し口８１ｂの前端にかけて伸びると共に、前面側に僅かに膨らんだ板状をしている。また、固定ダクト後壁９２は、ファンユニット８２の上面の中央部から上面吹出し口８１ｂの後端にかけて伸びると共に、前面側に僅かに膨らんだ板状をしている。
【０１２６】
また、空気清浄動作部７１の内部の下部には、ファンユニット８２の前面側に、イオン発生素子８５が備えられている。このイオン発生素子８５は、プラズマクラスターイオン（登録商標）発生素子（ＰＣＩ）で構成されている。このイオン発生素子８５は、図６に示すように、空気清浄動作部７１、即ち、空気清浄装置７０の本体７０ａの長手方向に沿って、複数個、配設されている。
【０１２７】
このイオン発生素子８５は、図６に示すように、正イオンを発生する１対の正イオン発生素子８５ａと、負イオンを発生する１対の負イオン発生素子８５ｂとで構成されている。これらの正イオン発生素子８５ａと負イオン発生素子８５ｂを用いることによって、正イオン、及び、負イオンを同時に発生することができる。
【０１２８】
このように、正イオンと、負イオンとを同時に発生することにより、空気中の浮遊細菌を効率的に除去することが知られている。このイオン発生素子８５に関しては、本発明と同一の出願人による出願済の発明が記載された特開２００２−５８７３１号公報に詳しく記載されている。
【０１２９】
上記のファン８２ａ、及び、イオン発生素子８５は、図４に示す空気清浄装置７０の空気清浄制御部７３に接続されており、この空気清浄制御部７３により、ファン８２ａ、及び、イオン発生素子８５が制御される。この制御により、空気清浄動作部７１から放出されるイオンの量の増減が制御される。
【０１３０】
この空気清浄動作部７１から放出されるイオンの量の増減の制御は、２種類の方法で行われる。第１の制御方法は、ファン８２ａの風量を増減することで行われる。このファン８２ａの風量の増減は、ファン８２ａの回転数の増減により行われる。第２の制御方法は、動作させるイオン発生素子８５の個数を増減することで行われる。
【０１３１】
このようにすることにより、空気清浄動作部７１が発生して放出するイオンの量を、容易に、且つ、確実に可変することができる。
【０１３２】
上記の空気清浄動作部７１では、図５に示すように、ファンユニット８２に装着されたファン８２ａが、回転方向を示す矢印８７の方向に回転することにより、吸入孔８１ａから吸入された空気が、ファンユニット８２を介して、イオン発生素子８５で発生された正イオン、及び、負イオンを含んで、上面吹出し口８１ｂから外部へ放出される。
【０１３３】
また、空気清浄動作部７１、即ち、空気清浄装置７０の本体７０ａは、図７〜図１０に示すように、この本体７０ａが支柱７０ｂに対して、可動するように、即ち、本体７０ａが首振可能に支柱７０ｂに取付られている。
【０１３４】
この空気清浄装置７０の本体７０ａの首振を行わせるために、図示しない首振用の駆動モータが、支柱７０ｂの先端部に内蔵されている。また、この空気清浄装置７０の本体７０ａは、図７〜図１０に示すように、回動用の回動軸７０ｃを備えており、この回動軸７０ｃが上記の首振用の駆動モータの回転軸と連動するように構成されている。
【０１３５】
また、この空気清浄装置７０の本体７０ａの首振の制御は、空気清浄装置７０の空気清浄制御部７３により行われる。
【０１３６】
上記の空気清浄装置７０の本体７０ａの首振は、この本体７０ａの姿勢として、本体７０ａの前面吹出し口８１ｂが、図７、及び、図９に示すように、上方に向いている状態と、図８、及び、図１０に示すように、画像形成装置１００の筐体の上面の方向に向いている状態との間で、行われる。この本体７０ａの向きは、画像形成動作部１０１の状態によって異なる。
【０１３７】
即ち、画像形成動作部１０１が省電力状態では、空気清浄動作部７１の前面吹出し口８１ｃが、図７、及び、図１０に示すように、上方に向いている状態にする。また、画像形成動作部１０１が通常状態では、図８、及び、図１１に示すように、画像形成装置１００の筐体の上面の方向に向いている状態にする。
【０１３８】
また、空気清浄動作部７１が発生して放出するイオンの量は、画像形成動作部１０１における省電力状態よりも、通常状態の方が、少なくなるようにする。
【０１３９】
即ち、画像形成動作部１０１が省電力状態では、空気清浄動作部７１の前面吹出し口８１ｂが、図７、及び、図９に示すように、上方に向いていると共に、画像形成動作部１０１における通常状態よりも、空気清浄動作部７１が発生して放出するイオンの量を多く放出する。
【０１４０】
これに対して、画像形成動作部１０１が通常状態では、空気清浄動作部７１の前面吹出し口８１ｃが、図８、及び、図１０に示すように、画像形成装置１００の筐体の上面の方向に向いていると共に、画像形成動作部１０１における省電力状態よりも、空気清浄動作部７１が発生して放出するイオンの量を少なく放出する。
【０１４１】
上記のようにするのは、次のような状態が想定される場合に使用されることを基本としているからである。即ち、画像形成動作部１０１が通常状態では、主として、画像形成装置１００の筐体から排出される排出ガスの浄化に専念し、画像形成動作部１０１が省電力状態では、画像形成システムが設置された室内の空気の浄化を行うようにするのである。
【０１４２】
上記の空気清浄動作部７１によれば、この画像形成装置１００の筐体の外部に空気清浄動作部７１を備えることができるので、画像形成装置１００の大型化やコスト増大を抑制しつつ、画像形成装置１００の筐体から排出される排出ガスの浄化が可能であると共に、画像形成システムが設置された室内の空気の浄化も可能とすることができる。即ち、１台で画像形成装置１００の筐体からの排出ガスの浄化と室内の空気の浄化の２役を果たすことができる。
【０１４３】
尚、上記の空気清浄動作部７１では、空気清浄動作部７１が発生して放出するイオンの量を、画像形成動作部１０１における省電力状態よりも、通常状態の方を、少なくしているが、画像形成動作部１０１の省電力状態と、通常状態のいずれにおいても、同じイオンの量とするようにした運用方法もあり得る。
【０１４４】
また、上記の空気清浄動作部７１において、この空気清浄動作部７１の取付姿勢を、常時、空気清浄動作部７１の前面吹出し口８１ｃが、図８、及び、図１０に示すように、画像形成装置１００の筐体の上面の方向に向いている状態とする。そして、空気清浄動作部７１が発生して放出するイオンの量が、画像形成動作部１０１における省電力状態よりも、通常状態の方が、少なくなるようにしてもよい。
【０１４５】
このようにすることにより、画像形成動作部１０１が省電力状態では、空気清浄動作部７１から放出された空気が、画像形成システムが設置されている室内に拡散されるようにすると共に、画像形成動作部１０１が通常状態では、エアーカーテンのようにして、画像形成装置１００の筐体の周りにイオンを漂わせ、画像形成装置１００の筐体の周囲を覆うようにすることができる。従って、上記のようにしても、室内の空気の浄化、及び、画像形成装置１００の筐体から排出される排出ガスの浄化を行うことができる。
【０１４６】
＜画像形成システムにおける電源制御の説明＞
ところで、上記の画像形成システムでは、電源として、画像形成装置１００に画像形成動作部用電源１０２および画像形成制御部用電源１０４が備えられ、空気清浄装置７０に空気清浄動作部用電源７２および空気清浄制御部用電源７４が備えられている。
【０１４７】
この内、画像形成制御部用電源１０４および空気清浄制御部用電源７４は、画像形成装置１００および空気清浄装置７０における制御が常時可能となるように、常時電源がオンされた状態であり、常時通電状態である。
【０１４８】
これに対して、画像形成動作部用電源１０２および空気清浄動作部用電源７２は、必要なときに電源がオンされて通電状態となり、必要がなくなると電源がオフされる。上記の画像形成システムは、この画像形成動作部用電源１０２および空気清浄動作部用電源７２に対するオン／オフ制御に特徴を有している。そこで、次に、この点について説明する。
【０１４９】
上記の画像形成システムでは、まず、画像形成動作部用電源１０２に関し、手動で操作される電源オン／オフと、自動的に操作される電源オン／オフとがある。画像形成装置１００には、上述したように、画像形成表示操作部１０５が備えられている。また、空気清浄装置７０には、空気清浄表示操作部７５が備えられている。
【０１５０】
図１１は、画像形成システムの画像形成装置に備えられた画像形成表示操作部の平面図、図１２は、図１１のＸ部分の拡大図、そして、図１３は、空気清浄装置７０に備えられた空気清浄表示操作部７５の平面図である。
【０１５１】
上記の手動操作には、この画像形成表示操作部１０５に備えられている電源釦（ＳＷ１）１０５ａが（図１２参照）用いられる。この電源釦（ＳＷ１）１０５ａは、押釦スイッチで形成されている。また、自動操作は、画像形成制御部１０３が備える時計機能が用いられる。
【０１５２】
また、図１２において、スイッチバリア１０５ｅは、電源釦（ＳＷ１）１０５ａが誤って押されないようにするために設けられたものであり、電源釦（ＳＷ１）１０５ａの周りを、この電源釦（ＳＷ１）１０５ａより高い高さのバリアで囲んで形成されている。
【０１５３】
また、図１１に示す画像形成表示操作部１０５において、電源表示ランプ１０５ｄは、画像形成動作部用電源１０２がオン状態のときに点灯し、オフ状態のときに消灯する。また、ＯＮ自動表示ランプ１０５ｂは、画像形成制御部１０３が備える時計機能時計機能を用いて画像形成動作部用電源１０２が自動的にオンされる場合に点灯し、ＯＦＦ自動表示ランプ１０５ｃは、同じく画像形成制御部１０３が備える時計機能を用いて自動的にオフされる場合に点灯する。
【０１５４】
即ち、上記のＯＮ自動表示ランプ１０５ｂおよびＯＦＦ自動表示ランプ１０５ｃの双方が点灯しているときは、電源釦（ＳＷ１）１０５ａは機能せず、この電源釦（ＳＷ１）１０５ａが押されても、無視される。これに対して、上記のＯＮ自動表示ランプ１０５ｂまたはＯＦＦ自動表示ランプ１０５ｃのいずれか一方が点灯しているときは、点灯していない方の機能に代えて手動で操作する場合に、電源釦（ＳＷ１）１０５ａは機能する。
【０１５５】
上記の画像形成システムにおいて、空気清浄動作部用電源７２に関しては、画像形成動作部用電源１０２と連動させて行われる電源オン／オフと、連動させずに、画像形成動作部用電源１０２とは独立させて行われる電源オン／オフとがある。
【０１５６】
図４に示すように、画像形成制御部１０３と空気清浄制御部７３とは、画像形成ＲＳ２３２Ｃ・Ｉ／Ｆ１０７と空気清浄ＲＳ２３２Ｃ・Ｉ／Ｆ７７とを介して接続されている。上記の空気清浄動作部用電源７２の電源オン／オフと、画像形成動作部用電源１０２の電源オン／オフとの連動は、上記の画像形成ＲＳ２３２Ｃ・Ｉ／Ｆ１０７と空気清浄ＲＳ２３２Ｃ・Ｉ／Ｆ７７とを介した画像形成制御部１０３と空気清浄制御部７３との接続を用いて行われる。即ち、上記の連動は、後述するように、空気清浄動作部用電源７２の電源制御に関する画像形成制御部１０３から空気清浄制御部７３への指示により行われる。
【０１５７】
上記の連動が行われる場合、空気清浄動作部用電源７２の電源のオン、オフ、または、双方が、画像形成動作部用電源１０２の電源のオン、オフ、または、双方と同時刻に行われる場合と、そうでない場合とがある。
【０１５８】
上記のそうでない場合としては、次の２つの場合がある、１つは、空気清浄動作部用電源７２の電源のオンが、画像形成動作部用電源１０２の電源のオンの時刻よりも先行して行われる場合であり、他の１つは、空気清浄動作部用電源７２の電源のオフが、画像形成動作部用電源１０２の電源のオフの時刻よりも遅延して行われる場合である。
【０１５９】
また、上記の画像形成動作部用電源１０２の電源オン／オフとは関係なく独立して行われる空気清浄動作部用電源７２の電源オン／オフは、次のようにして行われる。即ち、空気清浄装置７０の支柱７０ｂには、図１３に示す空気清浄表示操作部７５が備えられており、上記の画像形成動作部用電源１０２から独立して行われる空気清浄動作部用電源７２の電源オン／オフは、この空気清浄表示操作部７５に備えられている電源釦（ＳＷ２）７５ａが用いられる。この電源釦（ＳＷ２）７５ａは、押釦スイッチで形成されている。
【０１６０】
また、図１３に示す空気清浄表示操作部７５において、電源表示ランプ７５ｄは、空気清浄動作部用電源７２がオン状態のときに点灯し、オフ状態のときに消灯する。また、ＯＮ連動表示ランプ７５ｂは、画像形成動作部用電源１０２と連動して空気清浄動作部用電源７２がオンされる場合に点灯し、ＯＦＦ連動表示ランプ７５ｃは、同じく画像形成動作部用電源１０２と連動して空気清浄動作部用電源７２がオフされる場合に点灯する。
【０１６１】
即ち、上記のＯＮ連動表示ランプ１０５ｂおよびＯＦＦ連動表示ランプ１０５ｃの双方が点灯しているときは、電源釦（ＳＷ２）７５ａは機能せず、この電源釦（ＳＷ２）７５ａが押されても、無視される。これに対して、上記のＯＮ連動表示ランプ１０５ｂまたはＯＦＦ連動表示ランプ１０５ｃのいずれか一方が点灯しているときは、点灯していない方の機能に代えて手動で操作する場合に、電源釦（ＳＷ２）７５ａは機能する。
【０１６２】
上述した電源制御に関して、いずれの方法が用いられるかは、後に詳述するように、画像形成装置１００に備えられた画像形成表示操作部１０５のタッチパネル付ＬＣＤ（液晶表示器）１０５ｇを用いた設定により、選択、決定される。
【０１６３】
上記の画像形成システムでは、上記の電源制御機能を実現するため、画像形成制御部１０３に備えられているメモリに、図１４に示すフラグと、図１５および図１６に示すデータとが備えられている。この内、図１５に示す全てのデータと、図１６に示すデータの内、空気清浄電源ＯＮ時刻ｔ３、および、空気清浄電源ＯＦＦ時刻ｔ４を除く残りのデータとは、画像形成表示操作部１０５のタッチパネル付ＬＣＤ（液晶表示器）１０５ｇを用いた上記の設定により、設定される。
【０１６４】
図１４に示すフラグは、画像形成電源ＯＮ／ＯＦＦ指示フラグＦ１、空気清浄電源ＯＮ／ＯＦＦ指示フラグＦ２、画像形成省電力状態フラグＦ３、および、画像形成動作中フラグＦ４である。
【０１６５】
上記の画像形成電源ＯＮ／ＯＦＦ指示フラグＦ１は、画像形成動作部用電源１０２のオン状態／オフ状態を指示するためのフラグであり、Ｆ１＝０は、電源オフ状態指示、Ｆ１＝１は、電源オン状態指示を示す。
【０１６６】
即ち、画像形成制御部１０３は、画像形成電源ＯＮ／ＯＦＦ指示フラグＦ１が、Ｆ１＝０からＦ１＝１に変化すると、画像形成動作部用電源１０２をオンし、Ｆ１＝１からＦ１＝０に変化すると、画像形成動作部用電源１０２をオフする。
【０１６７】
空気清浄電源ＯＮ／ＯＦＦ指示フラグＦ２は、空気清浄動作部用電源７２のオン状態／オフ状態を指示するためのフラグであり、Ｆ１＝０は、電源オフ状態指示、Ｆ１＝１は、電源オン状態指示を示す。
【０１６８】
即ち、画像形成制御部１０３は、空気清浄電源ＯＮ／ＯＦＦ指示フラグＦ２が、Ｆ２＝０からＦ２＝１に変化すると、画像形成ＲＳ２３２Ｃ・Ｉ／Ｆ１０７、および、空気清浄ＲＳ２３２Ｃ・Ｉ／Ｆ７７を介して、空気清浄制御部７３へ空気清浄動作部用電源７２オン指示を通知する。この空気清浄動作部用電源７２オン指示の通知を受けた空気清浄制御部７３は、空気清浄動作部用電源７２をオンする。
【０１６９】
また、画像形成制御部１０３は、空気清浄電源ＯＮ／ＯＦＦ指示フラグＦ２が、Ｆ２＝１からＦ２＝０に変化すると、画像形成ＲＳ２３２Ｃ・Ｉ／Ｆ１０７、および、空気清浄ＲＳ２３２Ｃ・Ｉ／Ｆ７７を介して、空気清浄制御部７３へ空気清浄動作部用電源７２オフ指示を通知する。この空気清浄動作部用電源７２オフ指示の通知を受けた空気清浄制御部７３は、空気清浄動作部用電源７２をオフする。
【０１７０】
画像形成省電力状態フラグＦ３は、画像形成動作部１０１の状態を表し、Ｆ３＝０は、画像形成動作部１０１が通常状態であることを表し、Ｆ３＝１は、画像形成動作部１０１が省電力状態であることを表す。
【０１７１】
画像形成動作中フラグＦ４は、画像形成動作部１０１が動作中か否かを表し、Ｆ４＝０は、画像形成動作部１０１が動作中でないことを表し、Ｆ４＝１は、画像形成動作部１０１が動作中であることを表す。尚、Ｆ４＝１の状態が生じるのは、画像形成動作部１０１が通常状態であるとき、即ち、画像形成省電力状態フラグＦ３が、Ｆ３＝０である間のみである。
【０１７２】
図１５に示すデータは、画像形成電源ＯＮ自動有無Ｄ１、画像形成電源ＯＦＦ自動有無Ｄ２、空気清浄電源ＯＮ連動有無Ｄ３、空気清浄電源ＯＦＦ連動有無Ｄ４、空気清浄電源ＯＮ先行有無Ｄ５、および、空気清浄電源ＯＦＦ遅延有無Ｄ６である。
【０１７３】
上記の画像形成電源ＯＮ自動有無Ｄ１は、画像形成動作部用電源１０２のオンを自動で行うか否かを表し、Ｄ１＝０は自動無、Ｄ１＝１は、自動有を表す。
【０１７４】
画像形成電源ＯＦＦ自動有無Ｄ２は、画像形成動作部用電源１０２のオフを自動で行うか否かを表し、Ｄ２＝０は自動無、Ｄ２＝１は、自動有を表す。
【０１７５】
空気清浄電源ＯＮ連動有無Ｄ３は、空気清浄動作部用電源７２のオンを画像形成動作部用電源１０２のオンと連動するか否かを表し、Ｄ３＝０は連動無、Ｄ３＝１は、連動有を表す。
【０１７６】
空気清浄電源ＯＦＦ連動有無Ｄ４は、空気清浄動作部用電源７２のオフを画像形成動作部用電源１０２のオフと連動するか否かを表し、Ｄ４＝０は連動無、Ｄ４＝１は、連動有を表す。
【０１７７】
空気清浄電源ＯＮ先行有無Ｄ５は、空気清浄電源ＯＮ連動有無Ｄ３＝１の場合に、空気清浄動作部用電源７２のオンを画像形成動作部用電源１０２のオンよりも先行させるか否かを表し、Ｄ５＝０は先行無、Ｄ５＝１は、先行有を表す。
【０１７８】
Ｄ５＝０の場合は、空気清浄動作部用電源７２のオンは画像形成動作部用電源１０２のオンと同時に行われる。Ｄ５＝１の場合は、空気清浄動作部用電源７２のオンは画像形成動作部用電源１０２のオンよりも先行させるが、画像形成電源ＯＮ自動有無Ｄ１＝１の場合に限られる。
【０１７９】
空気清浄電源ＯＦＦ遅延有無Ｄ６は、空気清浄電源ＯＦＦ連動有無Ｄ４＝１の場合に、空気清浄動作部用電源７２のオフを画像形成動作部用電源１０２のオフよりも遅延させるか否かを表し、Ｄ６＝０は遅延無、Ｄ６＝１は、遅延有を表す。
【０１８０】
図１６に示すデータは、画像形成電源ＯＮ時刻ｔ１、画像形成電源ＯＦＦ時刻ｔ２、空気清浄電源ＯＮ先行時間（分）Ｔ１、空気清浄電源ＯＦＦ遅延時間（分）Ｔ２、空気清浄電源ＯＮ時刻ｔ３、および、空気清浄電源ＯＦＦ時刻ｔ４である。
【０１８１】
上記の画像形成電源ＯＮ時刻ｔ１は、画像形成電源ＯＮ自動有無Ｄ１＝１の場合に設定されるデータで、画像形成動作部用電源１０２をオンする時刻を表す。
【０１８２】
画像形成電源ＯＦＦ時刻ｔ２は、画像形成電源ＯＦＦ自動有無Ｄ２＝１の場合に設定されるデータで、画像形成動作部用電源１０２をオフする時刻を表す。
【０１８３】
空気清浄電源ＯＮ先行時間（分）Ｔ１は、空気清浄電源ＯＮ先行有無Ｄ５＝１の場合に設定されるデータで、空気清浄動作部用電源７２をオンする時刻を、画像形成動作部用電源１０２をオンする時刻よりも先行させる時間（分）を表す。この空気清浄電源ＯＮ先行時間（分）Ｔ１は、最大１２０分としている。
【０１８４】
空気清浄電源ＯＦＦ遅延時間（分）Ｔ２は、空気清浄電源ＯＦＦ遅延有無Ｄ６＝１の場合に設定されるデータで、空気清浄動作部用電源７２をオフする時刻を、画像形成動作部用電源１０２をオフする時刻よりも遅延させる時間（分）を表す。この空気清浄電源ＯＦＦ遅延時間（分）Ｔ２は、最大１２０分としている。
【０１８５】
空気清浄電源ＯＮ時刻ｔ３は、空気清浄動作部用電源７２をオンする時刻で、空気清浄電源ＯＮ先行有無Ｄ５＝１の場合に、上記の空気清浄電源ＯＮ先行時間（分）Ｔ１に基づいて、画像形成制御部１０３が自動的に演算して設定する。
【０１８６】
即ち、画像形成電源ＯＮ自動有無Ｄ１＝１の場合は、ｔ１は設定されているので、ｔ３＝ｔ１＋Ｔ１で演算する。これに対して、画像形成電源ＯＮ自動有無Ｄ１＝０の場合は、ｔ１は設定されないので、ｔ３を演算で求めることはできない。そこで、この場合は、ｔ３は使用されず、画像形成動作部用電源１０２が実際にオンされると同時に空気清浄動作部用電源７２をオンする。
【０１８７】
空気清浄電源ＯＦＦ時刻ｔ４は、空気清浄動作部用電源７２をオフする時刻で、空気清浄電源ＯＦＦ遅延有無Ｄ６＝１の場合に、上記の空気清浄電源ＯＦＦ遅延時間（分）Ｔ２に基づいて、画像形成制御部１０３が自動的に演算して設定する。
【０１８８】
即ち、画像形成電源ＯＦＦ自動有無Ｄ２＝１の場合は、ｔ４が設定されているので、ｔ４＝ｔ２＋Ｔ２で演算する。これに対して、画像形成電源ＯＦＦ自動有無Ｄ２＝０の場合は、ｔ２は設定されない。この場合は、画像形成動作部用電源１０２は手動でオフされるので、画像形成動作部用電源１０２が実際にオフされたときの時刻ｔｆを用いて、ｔ４＝ｔｆ＋Ｔ２で演算する。
【０１８９】
上述したように、図１５に示す全てのデータと、図１６に示す空気清浄電源ＯＮ時刻ｔ３、および、空気清浄電源ＯＦＦ時刻ｔ４を除く残りのデータは、画像形成表示操作部１０５のタッチパネル付ＬＣＤ（液晶表示器）１０５ｇを用いた上述した設定により、設定される。そこで、次に、このデータの設定について説明する。
【０１９０】
尚、以下に述べる画像形成表示操作部１０５のタッチパネル付ＬＣＤ（液晶表示器）１０５ｇを用いた設定では、タッチパネル付ＬＣＤ（液晶表示器）１０５ｇにおける表示として、画像形成動作部用電源１０２は、「画像形成装置電源」と表示され、空気清浄動作部用電源７２は、「空気清浄装置電源」と表示される。
【０１９１】
図１７〜図２３は、画像形成表示操作部１０５のタッチパネル付ＬＣＤ（液晶表示器）１０５ｇを用いた上記の設定に用いられる画面である。これらのデータを設定するには、まず、上記の画像形成システムの使用者が、図１１に示す画像形成表示操作部１０５のユーザー設定釦（ＳＷ３）１０５ｆを押す。
【０１９２】
すると、図１７の「設定メニュー」画面が、画像形成表示操作部１０５のタッチパネル付ＬＣＤ（液晶表示器）１０５ｇに表示される。この表示画面には、画像形成システムの使用者が画面の表示にタッチすると入力が行われる表示として、「画像形成装置電源設定」および「空気清浄装置電源設定」が、他の設定項目と共に表示されている。
【０１９３】
画面にタッチされると入力が行われる表示としては、上記の他に、「終了」、「修正」、および、「決定」がある。この内、上記の「終了」にタッチすると、設定処理が終了して、画像形成表示操作部１０５のタッチパネル付ＬＣＤ（液晶表示器）１０５ｇの画面が、画像形成表示操作部１０５のユーザー設定釦（ＳＷ３）１０５ｆを押す前の状態に戻る。
【０１９４】
上記の「修正」にタッチすると、当該画面における入力の修正が可能となる。また、「決定」にタッチすると、当該画面における入力情報が確定されて入力終了となり、次の段階へ移る。尚、「修正」、および、「決定」については、以下に述べる全ての画面に適用される。また、「終了」は、図１７の画面にのみ使用されており、図１７以外の画面では、「終了」に代えて、「戻る」が表示される。この「戻る」にタッチすると、当該画面の一つ前に表示された画面に戻る。
【０１９５】
図１７の「設定メニュー」画面において、「画像形成装置電源設定」にタッチすると、図１８の「画像形成装置電源設定１」画面に移る。
【０１９６】
図１８の「画像形成装置電源設定１」画面は、画像形成動作部用電源１０２の電源オンに関する設定を行う画面である。図１８の「画像形成装置電源設定１」画面において、「手動でＯＮ」にタッチし、次いで「決定」にタッチすると、画像形成電源ＯＮ自動有無Ｄ１＝０が設定され、次に、図１９の「画像形成装置電源設定２」画面に移る。
【０１９７】
図１８の「画像形成装置電源設定１」画面において、「自動でＯＮ」にタッチすると、この場合は、さらに、画像形成表示操作部１０５に備えられているテンキー１０５ｈを用いて「ＯＮ時刻」を２４時間表示で「時」「分」の順序で入力する。この入力後、「決定」にタッチすると、画像形成電源ＯＮ自動有無Ｄ１＝１が設定され、さらに、画像形成電源ＯＮ時刻ｔ１に、上記の入力で入力された時刻が設定された後、図１９の「画像形成装置電源設定２」画面に移る。
【０１９８】
図１９の「画像形成装置電源設定２」画面は、画像形成動作部用電源１０２の電源オフ
に関する設定を行う画面である。図１９の「画像形成装置電源設定２」画面において、「手動でＯＦＦ」にタッチし、次いで「決定」にタッチすると、画像形成電源ＯＦＦ自動有無Ｄ２＝０が設定され、次に、図１７の「設定メニュー」画面に移る。
【０１９９】
図１９の「画像形成装置電源設定２」画面において、「自動でＯＦＦ」にタッチすると、この場合は、さらに、画像形成表示操作部１０５に備えられているテンキー１０５ｈを用いて「ＯＦＦ時刻」を２４時間表示で「時」「分」の順序で入力する。この入力後、「決定」にタッチすると、画像形成電源ＯＦＦ自動有無Ｄ２＝１が設定され、さらに、画像形成電源ＯＦＦ時刻ｔ２に、上記の入力で入力された時刻が設定された後、図１７の「設定メニュー」画面に移る。
【０２００】
図１７の「設定メニュー」画面において、次に、「空気清浄装置電源設定」にタッチすると、図２０の「空気清浄装置電源設定１−１」画面に移る。
【０２０１】
図２０の「空気清浄装置電源設定１−１」画面は、空気清浄動作部用電源７２の電源オンを、画像形成動作部用電源１０２の電源オンと連動するか否かに関する設定を行う画面である。
【０２０２】
図２０の「空気清浄装置電源設定１−１」画面において、「連動しない」にタッチし、次いで「決定」にタッチすると、空気清浄電源ＯＮ連動有無Ｄ３＝０が設定され、次に、図２２の「空気清浄装置電源設定２−１」画面に移る。
【０２０３】
図２０の「空気清浄装置電源設定１−１」画面において、「連動する」にタッチし、次いで「決定」にタッチすると、空気清浄電源ＯＮ連動有無Ｄ３＝１が設定され、この場合は次画面の設定が要求されることから、次に、図２１の「空気清浄装置電源設定１−２」画面に移る。
【０２０４】
図２１の「空気清浄装置電源設定１−２」画面は、画像形成動作部用電源１０２の電源オンと同時に空気清浄動作部用電源７２の電源オンをするか、画像形成動作部用電源１０２の電源オンに先行して空気清浄動作部用電源７２の電源オンをするかに関する設定を行う画面である。
【０２０５】
図２１の「空気清浄装置電源設定１−２」画面において、「同時にする」にタッチし、次いで「決定」にタッチすると、空気清浄電源ＯＮ先行有無Ｄ５＝０が設定され、次に、図２２の「空気清浄装置電源設定２−１」画面に移る。
【０２０６】
図２１の「空気清浄装置電源設定１−２」画面において、「先行する」にタッチすると、この場合は、さらに、画像形成表示操作部１０５に備えられているテンキー１０５ｈを用いて「先行時間（分）」を入力する。この入力後、「決定」にタッチすると、空気清浄電源ＯＮ先行有無Ｄ５＝１が設定され、さらに、空気清浄電源ＯＮ先行時間（分）Ｔ１に、上記の入力で入力された時間（分）が設定された後、図２２の「空気清浄装置電源設定２−１」画面に移る。
【０２０７】
図２２の「空気清浄装置電源設定２−１」画面は、空気清浄動作部用電源７２の電源オフを、画像形成動作部用電源１０２の電源オフと連動するか否かに関する設定を行う画面である。
【０２０８】
図２２の「空気清浄装置電源設定２−１」画面において、「連動しない」にタッチし、次いで「決定」にタッチすると、空気清浄電源ＯＦＦ連動有無Ｄ４＝０が設定され、次に、次に、図１７の「設定メニュー」画面に移る。
【０２０９】
図２２の「空気清浄装置電源設定２−１」画面において、「連動する」にタッチし、次いで「決定」にタッチすると、空気清浄電源ＯＦＦ連動有無Ｄ４＝１が設定され、この場合は次画面の設定が要求されることから、次に、図２３の「空気清浄装置電源設定２−２」画面に移る。
【０２１０】
図２３の「空気清浄装置電源設定２−２」画面は、画像形成動作部用電源１０２の電源オフと同時に空気清浄動作部用電源７２の電源オフをするか、画像形成動作部用電源１０２の電源オフから遅延させて空気清浄動作部用電源７２の電源オフをするかに関する設定を行う画面である。
【０２１１】
図２３の「空気清浄装置電源設定２−２」画面において、「同時にする」にタッチし、次いで「決定」にタッチすると、空気清浄電源ＯＦＦ遅延有無Ｄ６＝０が設定され、次に、図１７の「設定メニュー」画面に移る。
【０２１２】
図２３の「空気清浄装置電源設定２−２」画面において、「遅延させる」にタッチすると、この場合は、さらに、画像形成表示操作部１０５に備えられているテンキー１０５ｈを用いて「遅延時間（分）」を入力する。この入力後、「決定」にタッチすると、空気清浄電源ＯＦＦ遅延有無Ｄ６＝１が設定され、さらに、空気清浄電源ＯＦＦ遅延時間（分）Ｔ２に、上記の入力で入力された時間（分）が設定された後、図１７の「設定メニュー」画面に移る。
【０２１３】
上記の結果、電源制御に関する全ての設定が終了するので、これらの全ての設定が終了後に、図１７の「設定メニュー」画面の「終了」にタッチすると、画像形成表示操作部１０５のタッチパネル付ＬＣＤ（液晶表示器）１０５ｇの画面は、画像形成表示操作部１０５のユーザー設定釦（ＳＷ３）１０５ｆを押す前の状態に戻る。
【０２１４】
上述した設定は、画像形成表示操作部１０５のタッチパネル付ＬＣＤ（液晶表示器）１０５ｇを用いて行われるが、このほか、これらの設定は、画像形成装置１００に接続されたパソコン等の外部装置により行うこともできる。
【０２１５】
即ち、上述したように、画像形成装置１００には、画像形成ＬＡＮ・Ｉ／Ｆ１０６が備えられており、このＬＡＮ・Ｉ／Ｆ１０６を介してパソコン等の外部装置を接続することができる。
【０２１６】
この画像形成装置１００に接続されたパソコン等の外部装置は、ＬＣＤ等の表示装置や、テンキー、フルキーボードやマウス等の入力装置が備えられており、これらの表示装置や入力装置を用いることにより、上述した設定を行うことができる。
【０２１７】
この場合、例えば、上述した設定におけるタッチパネルの表示にタッチする操作に代えて、当該表示をマウスでクリックする操作に変えることにより、上述したのと同様にして、設定を行うことができる。
【０２１８】
次に、上記の設定に基づいて、画像形成制御部１０３により行われる画像形成動作部用電源１０２に対する電源制御動作、および、空気清浄動作部用電源７２に対する電源制御動作について説明する。
【０２１９】
図２４は、画像形成制御部１０３により行われる画像形成動作部用電源１０２に対する電源制御動作を示したフローチャート、また、図２５は、同じく画像形成制御部１０３により行われる空気清浄動作部用電源７２に対する電源制御動作を示したフローチャートである。
【０２２０】
上記の画像形成動作部用電源１０２に対する電源制御動作、及び、空気清浄動作部用電源７２に対する電源制御動作は、上記の画像形成システムの画像形成制御部１０３に備えられている時計機能を用いて行われる。尚、図２４及び図２５において、ｔｎは、現在の時刻を表す。
【０２２１】
最初に、画像形成動作部用電源１０２に対する電源制御動作について、図２４に基づき説明する。この図２４に示すフローチャートは、Ｓ２〜Ｓ６が、画像形成電源ＯＮ／ＯＦＦ指示フラグＦ１をセットする過程、即ち、画像形成動作部用電源１０２をオンする過程のフローを示しており、Ｓ７〜Ｓ１２が、画像形成電源ＯＮ／ＯＦＦ指示フラグＦ１をリセットする過程、即ち、画像形成動作部用電源１０２をオフする過程のフローを示している。
【０２２２】
この画像形成動作部用電源１０２に対する電源制御動作は、図２４において、まず、画像形成電源ＯＮ／ＯＦＦ指示フラグＦ１をリセットして、Ｆ１＝０とした後（Ｓ１）、Ｓ２〜Ｓ６の画像形成電源ＯＮ／ＯＦＦ指示フラグＦ１をセットするフローに進む。
【０２２３】
画像形成電源ＯＮ／ＯＦＦ指示フラグＦ１をセットするフローでは、最初に、Ｓ２で画像形成電源ＯＮ自動有無Ｄ１をチェックし、Ｄ１＝１ではない、即ち、Ｄ１＝０であると、画像形成動作部用電源１０２のオンは手動で行われる。そこで、次に、Ｓ３に進む。
【０２２４】
Ｓ２の画像形成電源ＯＮ自動有無Ｄ１のチェックで、Ｄ１＝１であると、画像形成動作部用電源１０２のオンは自動で行われる。そこで、次に、Ｓ４に進む。
【０２２５】
Ｓ３では、画像形成表示操作部１０５の電源釦（ＳＷ１）１０５ａをチェックし、ＳＷ１＝１であると、画像形成表示操作部１０５の電源釦（ＳＷ１）１０５ａが押されているので、画像形成動作部用電源１０２をオンする必要があり、次に、Ｓ６に進む。
【０２２６】
Ｓ３の画像形成表示操作部１０５の電源釦（ＳＷ１）１０５ａのチェックで、ＳＷ１＝１ではない、即ち、ＳＷ１＝０であると、画像形成表示操作部１０５の電源釦（ＳＷ１）１０５ａは押されていないので、画像形成動作部用電源１０２をオンする必要はなく、次に、Ｓ５に進む。
【０２２７】
Ｓ４では、現在の時刻ｔｎが画像形成電源ＯＮ時刻ｔ１であるか否かをチェックし、ｔｎ＝ｔ１であると、画像形成電源ＯＮ時刻ｔ１に到来しているので、画像形成動作部用電源１０２をオンする必要があり、次に、Ｓ６に進む。
【０２２８】
Ｓ４の現在の時刻ｔｎが画像形成電源ＯＮ時刻ｔ１であるか否かのチェックで、ｔｎ＝ｔ１ではないと、画像形成電源ＯＮ時刻ｔ１に到来していないので、画像形成動作部用電源１０２をオンする必要はなく、次に、Ｓ５に進む。
【０２２９】
Ｓ５では、画像形成省電力状態フラグＦ３をチェックし、Ｆ３＝１であると、これは、画像形成動作部１０１の状態が省電力状態であり、画像形成動作部用電源１０２をオンする必要がないので、Ｓ２に戻ってＳ２以降を繰返す。
【０２３０】
Ｓ５の画像形成省電力状態フラグＦ３のチェックで、Ｆ３＝１でない、即ち、Ｆ３＝０であると、これは、画像形成動作部１０１の状態が通常状態であり、画像形成動作部用電源１０２をオンする必要があり、次に、Ｓ６に進む。
【０２３１】
Ｓ６では、画像形成電源ＯＮ／ＯＦＦ指示フラグＦ１をセットしてＦ１＝１とする。即ち、画像形成電源ＯＮ／ＯＦＦ指示フラグＦ１が、Ｆ１＝０からＦ１＝１に変化する。そこで、上述したように、画像形成制御部１０３は、画像形成動作部用電源１０２をオンする。
【０２３２】
Ｓ６における画像形成電源ＯＮ／ＯＦＦ指示フラグＦ１のセットで画像形成動作部用電源１０２がオンすると、画像形成電源ＯＮ／ＯＦＦ指示フラグＦ１をセットするフローが終了し、次に、Ｓ７〜Ｓ１２の画像形成電源ＯＮ／ＯＦＦ指示フラグＦ１をリセットするフローに進む。
【０２３３】
画像形成電源ＯＮ／ＯＦＦ指示フラグＦ１をリセットするフローでは、最初に、Ｓ７で画像形成電源ＯＦＦ自動有無Ｄ２をチェックし、Ｄ２＝１ではない、即ち、Ｄ２＝０であると、画像形成動作部用電源１０２のオフは手動で行われる。そこで、次に、Ｓ８に進む。
【０２３４】
Ｓ７の画像形成電源ＯＦＦ自動有無Ｄ２のチェックで、Ｄ２＝１であると、画像形成動作部用電源１０２のオフは自動で行われる。そこで、次に、Ｓ９に進む。
【０２３５】
Ｓ８では、画像形成表示操作部１０５の電源釦（ＳＷ１）１０５ａをチェックし、ＳＷ１＝１であると、画像形成表示操作部１０５の電源釦（ＳＷ１）１０５ａが押されているので、画像形成動作部用電源１０２をオフする必要があり、次に、Ｓ１０に進む。
【０２３６】
Ｓ８の画像形成表示操作部１０５の電源釦（ＳＷ１）１０５ａのチェックで、ＳＷ１＝１ではない、即ち、ＳＷ１＝０であると、画像形成表示操作部１０５の電源釦（ＳＷ１）１０５ａは押されていないので、画像形成動作部用電源１０２をオフする必要はなく、次に、Ｓ１１に進む。
【０２３７】
Ｓ９では、現在の時刻ｔｎが画像形成電源ＯＦＦ時刻ｔ２であるか否かをチェックし、ｔｎ＝ｔ２であると、画像形成電源ＯＦＦ時刻ｔ２に到来しているので、画像形成動作部用電源１０２をオフする必要があり、次に、Ｓ１０に進む。
【０２３８】
Ｓ９の現在の時刻ｔｎが画像形成電源ＯＦＦ時刻ｔ２であるか否かのチェックで、ｔｎ＝ｔ２ではないと、画像形成電源ＯＦＦ時刻ｔ２に到来していないので、画像形成動作部用電源１０２をオフする必要はなく、次に、Ｓ１１に進む。
【０２３９】
Ｓ１０では、画像形成動作部用電源１０２をオフするのに先立ち、画像形成動作部１０１が動作中に画像形成動作部用電源１０２がオフされることのないようにするために、画像形成動作中フラグＦ４をチェックし、Ｆ４＝１であると、画像形成動作部１０１は動作中であるので、Ｆ４＝０になるまで待って、Ｓ１２に進む。
【０２４０】
Ｓ１１では、画像形成省電力状態フラグＦ３をチェックし、Ｆ３＝１であると、これは、画像形成動作部１０１の状態が省電力状態であり、画像形成動作部用電源１０２をオフする必要があり、次に、Ｓ１２に進む。
【０２４１】
Ｓ１１の画像形成省電力状態フラグＦ３のチェックで、Ｆ３＝１でない、即ち、Ｆ３＝０であると、これは、画像形成動作部１０１の状態が通常状態であり、画像形成動作部用電源１０２をオフする必要はないので、Ｓ７に戻ってＳ７以降を繰返す。
【０２４２】
Ｓ１２では、画像形成電源ＯＮ／ＯＦＦ指示フラグＦ１をリセットしてＦ１＝０とする。即ち、画像形成電源ＯＮ／ＯＦＦ指示フラグＦ１が、Ｆ１＝１からＦ１＝０に変化する。そこで、上述したように、画像形成制御部１０３は、画像形成動作部用電源１０２をオフする。
【０２４３】
Ｓ１２における画像形成電源ＯＮ／ＯＦＦ指示フラグＦ１のリセットで画像形成動作部用電源１０２がオフすると、画像形成電源ＯＮ／ＯＦＦ指示フラグＦ１をリセットするフローが終了し、次に、Ｓ２〜Ｓ６の画像形成電源ＯＮ／ＯＦＦ指示フラグＦ１をセットするフローに進むべく、Ｓ２に戻ってＳ２以降を繰返す。
【０２４４】
次に、空気清浄動作部用電源７２に対する電源制御動作について、図２５に基づき説明する。この図２５に示すフローチャートは、Ｓ２２〜Ｓ２９が、空気清浄電源ＯＮ／ＯＦＦ指示フラグＦ２をセットする過程、即ち、空気清浄動作部用電源７２をオンする過程のフローを示しており、Ｓ３０〜Ｓ３９が、空気清浄電源ＯＮ／ＯＦＦ指示フラグＦ２をリセットする過程、即ち、空気清浄動作部用電源７２をオフする過程のフローを示している。
【０２４５】
この空気清浄動作部用電源７２に対する電源制御動作は、図２５において、まず、空気清浄電源ＯＮ／ＯＦＦ指示フラグＦ２をリセットして、Ｆ２＝０とした後（Ｓ２１）、Ｓ２２〜Ｓ２９の空気清浄電源ＯＮ／ＯＦＦ指示フラグＦ２をセットするフローに進む。
【０２４６】
空気清浄電源ＯＮ／ＯＦＦ指示フラグＦ２をセットするフローでは、最初に、Ｓ２２で空気清浄電源ＯＮ連動有無Ｄ３をチェックし、Ｄ３＝１ではない、即ち、Ｄ３＝０であると、空気清浄動作部用電源７２のオンは手動で行われる。そこで、次に、Ｓ２３に進む。
【０２４７】
Ｓ２２の空気清浄電源ＯＮ連動有無Ｄ３のチェックで、Ｄ３＝１であると、空気清浄動作部用電源７２のオンは自動で行われる。そこで、次に、Ｓ２４に進む。
【０２４８】
Ｓ２３では、空気清浄表示操作部７５の電源釦（ＳＷ２）７５ａをチェックし、空気清浄表示操作部７５の電源釦（ＳＷ２）７５ａが押されるまで待って、ＳＷ２＝１となると、これと同時に空気清浄動作部用電源７２をオンする必要があり、次に、Ｓ２９に進む。
【０２４９】
Ｓ２４では、空気清浄電源ＯＮ先行有無Ｄ５をチェックし、Ｄ５＝１ではない、即ち、Ｄ５＝０であると、空気清浄動作部用電源７２のオンは、画像形成動作部用電源１０２のオンと同時に行われる。そこで、次に、Ｓ２５に進む。
【０２５０】
Ｓ２４の空気清浄電源ＯＮ先行有無Ｄ５のチェックで、Ｄ５＝１であると、空気清浄動作部用電源７２のオンは、画像形成動作部用電源１０２のオンに先行して行われる。この場合、空気清浄電源ＯＮ時刻ｔ３は、上述したように、ｔ３＝画像形成電源ＯＮ時刻ｔ１−空気清浄電源ＯＮ先行時間（分）Ｔ１で演算され、画像形成電源ＯＮ時刻ｔ１が設定されている必要がある。このｔ１は、上述したように、画像形成電源ＯＮ自動有無Ｄ１＝１の場合に設定される。そこで、これをチェックするために、次に、Ｓ２６に進む。
【０２５１】
Ｓ２５では、画像形成電源ＯＮ／ＯＦＦ指示フラグＦ１をチェックし、このＦ１がセットされるまで待って、Ｆ１＝１となると、画像形成動作部用電源１０２はオンしているので、これと同時に空気清浄動作部用電源７２をオンする必要があり、次に、Ｓ２９に進む。
【０２５２】
Ｓ２６では、画像形成電源ＯＮ自動有無Ｄ１をチェックし、Ｄ１＝１でない、即ち、Ｄ１＝０であると、画像形成電源ＯＮ時刻ｔ１は設定されていないので、画像形成制御部１０３は、空気清浄電源ＯＮ時刻ｔ３を演算することができない。そこで、この場合は、上述したように、空気清浄電源ＯＮ先行有無Ｄ５＝０の場合と同様の処理を行う。そこで、次に、既に上述した上記のＳ２５に進む。
【０２５３】
Ｓ２６の画像形成電源ＯＮ自動有無Ｄ１のチェックで、Ｄ１＝１であると、画像形成電源ＯＮ時刻ｔ１は設定されており、画像形成制御部１０３は、空気清浄電源ＯＮ時刻ｔ３を演算することができる。そこで、Ｓ２７に進む。
【０２５４】
Ｓ２７では、画像形成制御部１０３により、空気清浄電源ＯＮ時刻ｔ３が、ｔ３＝画像形成電源ＯＮ時刻ｔ１−空気清浄電源ＯＮ先行時間（分）Ｔ１で演算され、次に、Ｓ２８に進む。
【０２５５】
Ｓ２８では、現在の時刻ｔｎが画像形成電源ＯＮ時刻ｔ３であるか否かをチェックし、ｔｎ＝ｔ３であると、空気清浄電源ＯＮ時刻ｔ３に到来しているので、空気清浄動作部用電源７２をオンする必要があり、次に、Ｓ２９に進む。
【０２５６】
Ｓ２９では、空気清浄電源ＯＮ／ＯＦＦ指示フラグＦ２をセットしてＦ２＝１とする。即ち、空気清浄電源ＯＮ／ＯＦＦ指示フラグＦ２が、Ｆ２＝０からＦ２＝１に変化する。そこで、上述したように、画像形成制御部１０３は、画像形成ＲＳ２３２Ｃ・Ｉ／Ｆ１０７、および、空気清浄ＲＳ２３２Ｃ・Ｉ／Ｆ７７を介して、空気清浄制御部７３へ空気清浄動作部用電源７２オン指示を通知する。この空気清浄動作部用電源７２オン指示の通知を受けた空気清浄制御部７３により、空気清浄動作部用電源７２がオンされる。
【０２５７】
Ｓ２９における空気清浄電源ＯＮ／ＯＦＦ指示フラグＦ２のセットで空気清浄動作部用電源７２がオンすると、空気清浄電源ＯＮ／ＯＦＦ指示フラグＦ２をセットするフローが終了し、次に、Ｓ３０〜Ｓ３９の空気清浄電源ＯＮ／ＯＦＦ指示フラグＦ２をリセットするフローに進む。
【０２５８】
空気清浄電源ＯＮ／ＯＦＦ指示フラグＦ２をリセットするフローでは、最初に、Ｓ３０で空気清浄電源ＯＦＦ連動有無Ｄ４をチェックし、Ｄ４＝１ではない、即ち、Ｄ４＝０であると、空気清浄動作部用電源７２のオフは手動で行われる。そこで、次に、Ｓ３１に進む。
【０２５９】
Ｓ３０の空気清浄電源ＯＦＦ連動有無Ｄ４のチェックで、Ｄ４＝１であると、空気清浄動作部用電源７２のオフは自動で行われる。そこで、次に、Ｓ３２に進む。
【０２６０】
Ｓ３１では、空気清浄表示操作部７５の電源釦（ＳＷ２）７５ａをチェックし、空気清浄表示操作部７５の電源釦（ＳＷ２）７５ａが押されるまで待って、ＳＷ２＝１となると、これと同時に空気清浄動作部用電源７２をオフする必要があり、次に、Ｓ３９に進む。
【０２６１】
Ｓ３２では、空気清浄電源ＯＦＦ遅延有無Ｄ６をチェックし、Ｄ６＝１ではない、即ち、Ｄ６＝０であると、空気清浄動作部用電源７２のオフは、画像形成動作部用電源１０２のオフと同時に行われる。そこで、次に、Ｓ３３に進む。
【０２６２】
Ｓ３３では、画像形成電源ＯＮ／ＯＦＦ指示フラグＦ１をチェックし、このＦ１がリセットされるまで待って、Ｆ１＝０となると、画像形成動作部用電源１０２は、オフしているので、これと同時に空気清浄動作部用電源７２をオフする必要があり、次に、Ｓ３９に進む。
【０２６３】
上記のＳ３２における空気清浄電源ＯＦＦ遅延有無Ｄ６のチェックで、Ｄ６＝１であると、空気清浄動作部用電源７２のオンは、画像形成動作部用電源１０２のオフ後から遅延して行われる。
【０２６４】
この場合、遅延してオフする時刻が空気清浄電源ＯＦＦ時刻ｔ４であり、この空気清浄電源ＯＦＦ時刻ｔ４は、上述したように、画像形成電源ＯＦＦ自動有無Ｄ２＝１の場合は、画像形成電源ＯＦＦ時刻ｔ２が設定されているので、画像形成制御部１０３は、この空気清浄電源ＯＦＦ時刻ｔ４を、ｔ４＝画像形成電源ＯＦＦ時刻ｔ２＋空気清浄電源ＯＦＦ遅延時間（分）Ｔ２で演算する。
【０２６５】
これに対して、画像形成電源ＯＦＦ自動有無Ｄ２＝０の場合は、画像形成電源ＯＦＦ時刻ｔ２は設定されない。この場合は、画像形成動作部用電源１０２は手動でオフされるので、画像形成制御部１０３は、画像形成動作部用電源１０２が実際にオフされたときの時刻ｔｆを用いて、空気清浄電源ＯＦＦ時刻ｔ４を、ｔ４＝ｔｆ＋空気清浄電源ＯＦＦ遅延時間（分）Ｔ２で演算する。そこで、上記のいずれの演算を行うべきかを判断するべく、次に、Ｓ３４に進む。
【０２６６】
Ｓ３４では、画像形成電源ＯＦＦ自動有無Ｄ２をチェックし、Ｄ２＝１であると、画像形成電源ＯＦＦ時刻ｔ２が設定されているので、Ｓ３５に進み、空気清浄電源ＯＦＦ時刻ｔ４を、ｔ４＝画像形成電源ＯＦＦ時刻ｔ２＋空気清浄電源ＯＦＦ遅延時間（分）Ｔ２で演算して、Ｓ３８へ進む。
【０２６７】
Ｓ３４の画像形成電源ＯＦＦ自動有無Ｄ２のチェックで、Ｄ２＝１でない、即ち、Ｄ２＝０であると、画像形成動作部用電源１０２が実際にオフされたときの時刻ｔｆを知る必要があるので、Ｓ３６に進む。
【０２６８】
Ｓ３６では、画像形成電源ＯＮ／ＯＦＦ指示フラグＦ１をチェックし、このＦ１がリセットされるまで待って、Ｆ１＝０となると、画像形成動作部用電源１０２は、オフしているので、Ｓ３７に進み、このときの現在の時刻ｔｎを上記の時刻ｔｆとして用いて、空気清浄電源ＯＦＦ時刻ｔ４を、ｔ４＝ｔｎ＋空気清浄電源ＯＦＦ遅延時間（分）Ｔ２で演算して、Ｓ３８へ進む。
【０２６９】
Ｓ３８では、現在の時刻ｔｎが空気清浄電源ＯＦＦ時刻ｔ４であるか否かをチェックし、ｔｎ＝ｔ４であると、空気清浄電源ＯＦＦ時刻ｔ４が到来しているので、空気清浄動作部用電源７２をオフする必要があり、次に、Ｓ３９に進む。
【０２７０】
Ｓ３９では、空気清浄電源ＯＮ／ＯＦＦ指示フラグＦ２をリセットしてＦ２＝０とする。即ち、空気清浄電源ＯＮ／ＯＦＦ指示フラグＦ２が、Ｆ２＝１からＦ２＝０に変化する。そこで、上述したように、画像形成制御部１０３は、画像形成ＲＳ２３２Ｃ・Ｉ／Ｆ１０７、および、空気清浄ＲＳ２３２Ｃ・Ｉ／Ｆ７７を介して、空気清浄制御部７３へ空気清浄動作部用電源７２オフ指示を通知する。この空気清浄動作部用電源７２オフ指示の通知を受けた空気清浄制御部７３により、空気清浄動作部用電源７２がオフされる。
【０２７１】
Ｓ３９における空気清浄電源ＯＮ／ＯＦＦ指示フラグＦ２のリセットで空気清浄動作部用電源７２がオフすると、空気清浄電源ＯＮ／ＯＦＦ指示フラグＦ２をリセットするフローが終了し、次に、Ｓ２２〜Ｓ２９の空気清浄電源ＯＮ／ＯＦＦ指示フラグＦ２をセットするフローに進むべく、Ｓ２２に戻ってＳ２２以降を繰返す。
【０２７２】
上記の画像形成システムによれば、空気清浄動作部用電源７２のオン／オフを、画像形成動作部用電源１０２と連動させて行うことができる。即ち、画像形成動作部１０１および空気清浄動作部７１に対する電力供給における連動オン制御機能、および、連動オフ制御機能を有している。
【０２７３】
そのため、この画像形成システムが設置された部屋等、画像形成システムの周囲環境を、消費電力の抑制を図りながら効果的にクリーンな状態に保つことができる。
【０２７４】
また、空気清浄動作部用電源７２の電源のオンを、画像形成動作部用電源１０２の電源のオンの時刻よりも先行して行うことができる。即ち、画像形成動作部１０１への電力供給オン制御（前述した第１電力供給オン制御）が実行される時点よりも予め設定された設定時間前に、空気清浄動作部７１への電力供給オン制御（前述した第２電力供給オン制御）を実行することができる。
【０２７５】
そのため、画像形成システムが設置された部屋等における空気を、画像形成システムの画像形成動作部１０１が動作する前から、あらかじめ、清浄することができる。従って、この画像形成システムが設置された部屋等、画像形成システムの周囲環境を、消費電力の抑制を図りながら効果的にクリーンな状態に保つことができる。
【０２７６】
また、空気清浄動作部用電源７２の電源のオフを、画像形成動作部用電源１０２の電源のオフの時刻よりも遅延して行うことができる。即ち、画像形成動作部１０１への電力供給オン制御（前述した第１電力供給オフ制御）が実行される時点よりも予め設定された設定時間後に、空気清浄動作部７１への電力供給オフ制御（前述した第２電力供給オフ制御）を実行することができる。
【０２７７】
そのため、画像形成システムが設置された部屋等における空気を、画像形成システムの画像形成動作部１０１が動作停止した後も、引き続いて清浄することができ、翌日に備えて画像形成システムが設置された部屋等を効果的にクリーンな状態に保つことができる。従って、この画像形成システムが設置された部屋等、画像形成システムの周囲環境を、消費電力の抑制を図りながら効果的にクリーンな状態に保つことができる。
【０２７８】
また、空気清浄動作部用電源７２の電源のオンと、画像形成動作部用電源１０２の電源のオンとを、同時刻に行うことができる。即ち、連動オン制御機能の実行として、画像形成動作部１０１への電力供給オン制御（前述した第１電力供給オン制御）と空気清浄動作部７１への電力供給オン制御（前述した第２電力供給オン制御）とを同時に実行することができる。
【０２７９】
そのため、画像形成動作部１０１への電力供給をオンするのと同時に、空気清浄動作部７１への電力供給をオンして空気清浄動作部７１を動作させることで、画像形成動作部１０１から放出される目に見えない細かい粒子や臭い等を取除き、画像形成システムが設置されている部屋を、消費電力の抑制を図りながら効果的にクリーンな状態に保つことができる。
【０２８０】
また、空気清浄動作部用電源７２の電源のオフと、画像形成動作部用電源１０２の電源のオフとを、同時刻に行うことができる。即ち、連動オン制御機能の実行として、画像形成動作部１０１への電力供給オフ制御（前述した第１電力供給オフ制御）と空気清浄動作部７１への電力供給オフ制御（前述した第２電力供給オフ制御）とを同時に実行することができる。
【０２８１】
そのため、画像形成動作部１０１への電力供給をオフするのと同時に、空気清浄動作部７１への電力供給をオフして空気清浄動作部７１の動作を停止させることで、画像形成システムが設置されている部屋を、消費電力の抑制を図りながら効果的にクリーンな状態に保つことができる。また、このようにすることで、空気清浄動作部７１に対する電源の切忘れを防止することができる。
【０２８２】
また、画像形成システムの画像形成動作部１０１には、該画像形成動作部１０１が動作しないときに該画像形成動作部１０１の消費電力が少なくなるように画像形成制御部１０３により画像形成動作部１０１への電力供給オフ制御（前述した第１電力供給オフ制御）が実行される省電力モードが備えられ、画像形成動作部１０１が省電力モードのときは、画像形成動作部１０１への電力供給オフ制御が実行されても、空気清浄動作部７１への電力供給オフ制御（前述した第２電力供給オフ制御）は実行されない。
【０２８３】
そのため、画像形成動作部１０１を動作をさせないときは、消費電力抑制の観点から、省電力モードとすることにより、画像形成システムの画像形成制御部１０３により画像形成動作部１０１への電力供給オフ制御が実行されて、画像形成動作部１０１への電力供給が停止される。しかし、空気清浄動作部７１への電力供給はオフされず、空気清浄動作部７１の動作が継続される。従って、画像形成システムが設置されている部屋を、消費電力の抑制を図りながら効果的にクリーンな状態に保つことができる。
【０２８４】
また、上記の画像形成システムには、複数の連動オン制御の種類が備えられている。即ち、上述したように、画像形成動作部１０１への電力供給オン制御（前述した第１電力供給オン制御）と空気清浄動作部７１への電力供給オン制御（前述した第２電力供給オン制御）とを同時に実行することができるほか、画像形成動作部１０１への電力供給オン制御（前述した第１電力供給オン制御）の実行の一定時間前に、空気清浄動作部７１への電力供給オン制御（前述した第２電力供給オン制御）を実行することができる。
【０２８５】
また、上述したように、画像形成動作部１０１への電力供給オフ制御（前述した第１電力供給オフ制御）と空気清浄動作部７１への電力供給オフ制御（前述した第２電力供給オフ制御）とを同時に実行することができるほか、画像形成動作部１０１への電力供給オフ制御（前述した第１電力供給オフ制御）の実行の一定時間後に、空気清浄動作部７１への電力供給オフ制御（前述した第２電力供給オフ制御）を実行することができる。
【０２８６】
そのため、複数種類の連動オン制御機能のいずれか一つの選定や、複数種類の連動オフ制御機能のいずれか一つを選定することにより、画像形成システムが設置されている部屋等の状況に合わせて、画像形成動作部１０１と空気清浄動作部７１との連携を実現することができ、画像形成システムが設置されている部屋を、消費電力の抑制を図りながら効果的にクリーンな状態に保つことができる。
【０２８７】
また、上記の画像形成システムには、画像形成動作部１０１への電力供給オン制御（前述した第１電力供給オン制御）と空気清浄動作部７１への電力供給オン制御（前述した第２電力供給オン制御）とを連動させずに独立して個別に実行する機能（前述した個別オン制御機能）と、画像形成動作部１０１への電力供給オフ制御（前述した第１電力供給オフ制御）と空気清浄動作部７１への電力供給オフ制御（前述した第２電力供給オフ制御）とを連動させずに独立して個別に実行する機能（前述した個別オフ制御機能）とが備えられている。
【０２８８】
そのため、画像形成システムが設置されている部屋等の状況に合わせて、画像形成動作部１０１及び空気清浄動作部７１に対する電源制御を個別に行うこともでき、画像形成システムが設置されている部屋を、消費電力の抑制を図りながら効果的にクリーンな状態に保つことができる。
【０２８９】
また、上記の画像形成システムによれば、上述した各電源制御に必要な設定を、画像形成装置１００に備えられている画像形成表示操作部１０５による操作のほか、画像形成装置１００に備えられている画像形成ＬＡＮ・Ｉ／Ｆ１０６を介して画像形成装置１００に接続されているパソコン等の外部装置により、リモート操作で行うことができる。
【０２９０】
そのため、上記の画像形成システムに対する電源制御の設定を、複数の場所から設定することができ、設定作業の容易化や迅速化を図ることができる。
【０２９１】
上記の画像形成システムでは、画像形成動作部用電源１０２の電源オン／オフに関する設定を行うのに、図１８の「画像形成装置電源設定１」画面と、図１９の「画像形成装置電源設定２」画面を用いているが、これらの図１８の「画像形成装置電源設定１」画面と、図１９の「画像形成装置電源設定２」画面に代えて、図２６の「画像形成装置電源設定１」画面と、図２７の「画像形成装置電源設定２」画面を用いるようにしてもよい。
【０２９２】
この場合、図２６の「画像形成装置電源設定１」画面では、手動で行うか自動で行うかに関し、画像形成動作部用電源１０２のオンとオフに対する設定をひとつの操作で行うものである。
【０２９３】
また、図２７の「画像形成装置電源設定２」画面では、画像形成動作部用電源１０２のオンとオフを、一週間にわたって設定するもので、各曜日毎に、画像形成動作部用電源１０２のオン時刻とオフ時刻を個別に設定するものである。
【０２９４】
この場合は、図１６に示す画像形成電源ＯＮ時刻ｔ１と画像形成電源ＯＦＦ時刻ｔ２のデータエリアとして、それぞれ、月曜日〜日曜日の７個が確保され、各曜日毎に、設定されたデータが用いられる。
【０２９５】
このようにすることにより、画像形成システムの各曜日における運用に即した設定をすることができる。
【０２９６】
また、上記の画像形成システムでは、ＦＡＸ機能は備えられていないが、画像形成制御部１０３に電話回線接続用のインターフェイスを備えることにより、ＦＡＸ機能を備えるようにしてもよい。この場合は、画像形成動作部用電源１０２がオフしている間は、ＦＡＸ機能の送信機能と受信機能の内、受信機能のみを行うようにする。
【０２９７】
また、上記の画像形成システムでは、空気清浄装置７０は、画像形成装置１００の筐体の外部に備えられているが、空気清浄装置７０を、画像形成装置１００の筐体の内部に備えるようにしてもよい。
【０２９８】
図２８は、空気清浄装置７０を、画像形成装置１００の筐体の内部に備えた場合における画像形成システムの外観を示した外観を示した斜視図である。この場合は、例えば、図２８に示すように、後面側に吸入孔（図示されていない）が設けられ、前面側に吹出し口が設けられる。
【０２９９】
このように、空気清浄装置７０を画像形成装置１００の筐体の内部に備えるようにすることで、画像形成装置１００の外部に、空気清浄装置７０を設置するスペースを設ける必要が無いようにすることができる。また、画像形成システムが設置される部屋等に、独立した空気清浄装置を別に設ける必要が無いようにすることができる。従って、画像形成システムが設置される部屋等における有効活用できる空間が減少するのを、抑制することができる。
【０３００】
また、上記の画像形成システムでは、この画像形成システムを、画像形成装置１００と空気清浄装置７０とを組合せて構成しており、画像形成動作部用電源１０２と空気清浄動作部用電源７２とは個別に設けられているが、画像形成動作部用電源１０２と空気清浄動作部用電源７２とを一体で構成するようにしてもよい。
【符号の説明】
【０３０１】
１  レーザ露光装置
２  現像装置
３  感光体ドラム
４  クリーナ装置
５  帯電器
６  中間転写ローラ
７  中間転写ベルト
８  中間転写ベルト装置
９  中間転写ベルトクリーニング装置
１０  給紙トレイ
１１  ２次転写装置
１１ａ  転写ローラ
１２  定着装置
１４  用紙レジストローラ
１５  用紙排出トレイ
１６  用紙ピックアップローラ
２１  中間転写ベルト駆動ローラ
２２  従動ローラ
３１  加熱ローラ
３２  加圧ローラ
４１  原稿セットトレイ
４２  原稿搬送部
４４  原稿ピックアップローラ
４５  サバキローラ
４６  分離パッド
４７  搬送経路
４９  原稿レジストローラ
５１  読取ガイド
５２  読取ガラス
５３  第１走査部
５４  第２走査部
５５  結像レンズ
５６  ＣＣＤ
５７  搬送ローラ
５８  排紙ローラ
５９  排紙トレイ
６０  原稿読取部
６１  原稿台ガラス
７０  空気清浄装置
７０ａ  本体
７０ｂ  支柱
７０ｃ  回動軸
７０ｄ  吹出し孔
７１  空気清浄動作部
７２  空気清浄動作部用電源
７３  空気清浄制御部
７４  空気清浄制御部用電源
７５  空気清浄表示操作部
７５ａ  電源釦（ＳＷ２）
７５ｂ  ＯＮ連動表示ランプ
７５ｃ  ＯＦＦ連動表示ランプ
７５ｄ  電源表示ランプ
７７  空気清浄ＲＳ２３２Ｃ・Ｉ／Ｆ
８１ａ  吸入孔
８１ｂ  上面吹出し口
８２  ファンユニット
８２ａ  ファン
８３  吸入ダクト
８４  吹出しダクト
８５  イオン発生素子
８５ａ  正イオン発生素子
８５ｂ  負イオン発生素子
８７  回転方向を示す矢印
９１  固定ダクト前壁
９２  固定ダクト後壁
１００  画像形成装置
１００ａ  筐体の後面の上側の角部
１０１  画像形成動作部
１０２  画像形成動作部用電源
１０３  画像形成制御部
１０４  画像形成制御部用電源
１０５  画像形成表示操作部
１０５ａ  電源釦（ＳＷ１）
１０５ｂ  ＯＮ自動表示ランプ
１０５ｃ  ＯＦＦ自動表示ランプ
１０５ｄ  電源表示ランプ
１０５ｅ  スイッチバリア
１０５ｆ  ユーザー設定釦（ＳＷ３）
１０５ｇ  ＬＣＤ
１０５ｈ  テンキー
１０６  画像形成ＬＡＮ・Ｉ／Ｆ
１０７  画像形成ＲＳ２３２Ｃ・Ｉ／Ｆ
２００  画像形成システム
２０１  電源
２１０  画像形成装置
２１１  画像形成動作部
２１２  第１電源
２１３  制御部
２１４  操作部
２１５  リモート操作受付部
２２０  空気清浄装置
２２１  空気清浄動作部
２２２  第２電源
【図１】
2011033788.tif 000003
【図２】
2011033788.tif 000004
【図３】
2011033788.tif 000005
【図４】
2011033788.tif 000006
【図５】
2011033788.tif 000007
【図６】
2011033788.tif 000008
【図７】
2011033788.tif 000009
【図８】
2011033788.tif 000010
【図９】
2011033788.tif 000011
【図１０】
2011033788.tif 000012
【図１１】
2011033788.tif 000013
【図１２】
2011033788.tif 000014
【図１３】
2011033788.tif 000015
【図１４】
2011033788.tif 000016
【図１５】
2011033788.tif 000017
【図１６】
2011033788.tif 000018
【図１７】
2011033788.tif 000019
【図１８】
2011033788.tif 000020
【図１９】
2011033788.tif 000021
【図２０】
2011033788.tif 000022
【図２１】
2011033788.tif 000023
【図２２】
2011033788.tif 000024
【図２３】
2011033788.tif 000025
【図２４】
2011033788.tif 000026
【図２５】
2011033788.tif 000027
【図２６】
2011033788.tif 000028
【図２７】
2011033788.tif 000029
【図２８】
2011033788.tif 000030